(57)【要約】  コンテンツダウンロードの方法、関連デバイス、およびシステムを提供する。コンテンツダウンロード方法は、ユーザ機器によって送信されたコンテンツに関するダウンロード要求メッセージを受信するステップと、ユーザ機器に対応する状態値を問い合わせるステップであって、ユーザ機器に対応する状態値は、ユーザ機器が現在位置しているセルの負荷値および/またはユーザ機器の現在のトラフィック課金値を含む、ステップと、ユーザ機器に対応する状態値がプリセット閾値未満である場合には、コンテンツをコンテンツ提供サーバから直接ダウンロードするようにユーザ機器に通知するステップとを含む。本出願は、ネットワークリソース利用率を向上させ、ユーザによる余分な支払いを低減させ、ユーザエクスペリエンスを向上させることを可能としている。
2015534335.tif 000002
【特許請求の範囲】
【請求項１】
コンテンツダウンロード方法であって、
ユーザ機器によって送信されたコンテンツに関するダウンロード要求メッセージを受信するステップと、
前記ユーザ機器に対応する状態値を問い合わせるステップであって、前記ユーザ機器に対応する前記状態値は、前記ユーザ機器が現在位置しているセルの負荷値または前記ユーザ機器の現在のトラフィック課金値を含む、ステップと、
前記ユーザ機器に対応する前記状態値がプリセット閾値未満である場合には、前記コンテンツをコンテンツ提供サーバからダウンロードするように前記ユーザ機器に通知するステップとを含む、方法。
【請求項２】
前記方法は、
前記ユーザ機器の前記状態値が前記プリセット閾値以上である場合には、前記コンテンツを前記コンテンツ提供サーバからダウンロードして前記コンテンツをバッファするようにオフラインダウンロードサーバに通知するステップをさらに含む、請求項1に記載の方法。
【請求項３】
前記方法は、
前記バッファされたコンテンツを前記ユーザ機器にプッシュするように前記オフラインダウンロードサーバに通知するステップ、または前記コンテンツを前記オフラインダウンロードサーバからダウンロードするように前記ユーザ機器に通知するステップをさらに含む、請求項2に記載の方法。
【請求項４】
前記バッファされたコンテンツを前記ユーザ機器にプッシュするように前記オフラインダウンロードサーバに通知するステップ、または前記コンテンツを前記オフラインダウンロードサーバからダウンロードするように前記ユーザ機器に通知するステップの前に、前記方法は、
前記ユーザ機器に対応する前記状態値が前記プリセット閾値未満であるかどうかを決定するステップと、前記ユーザ機器に対応する前記状態値がプリセット前記閾値未満である場合には、前記バッファされたコンテンツを前記ユーザ機器にプッシュするように前記オフラインダウンロードサーバに通知するステップ、または前記コンテンツを前記オフラインダウンロードサーバからダウンロードするように前記ユーザ機器に通知するステップを実行するステップをさらに含む、請求項3に記載の方法。
【請求項５】
前記方法は、
前記バッファされたコンテンツを前記ユーザ機器に結びつけられた関連デバイスにプッシュするように前記オフラインダウンロードサーバに通知するステップ、または前記コンテンツを前記オフラインダウンロードサーバからダウンロードするように前記ユーザ機器に結びつけられた関連デバイスに通知するステップをさらに含む、請求項2、3、または4に記載の方法。
【請求項６】
前記方法は、
前記オフラインダウンロードサーバによって前記コンテンツ提供サーバからダウンロードされた前記コンテンツのトラフィックに対する割引課金を実行するようにパケットデータネットワークゲートウェイに通知するステップをさらに含む、請求項2から5のいずれか一項に記載の方法。
【請求項７】
前記ユーザ機器に対応する前記状態値が、前記ユーザ機器が現在位置している前記セルの前記負荷値を含んでいる場合には、前記ユーザ機器に対応する状態値を問い合わせるステップは、
前記ユーザ機器に対応する前記状態値を前記パケットデータネットワークゲートウェイまたは前記ユーザ機器が現在位置している前記セルの基地局に問い合わせるステップを含む、請求項1から6のいずれか一項に記載の方法。
【請求項８】
前記ユーザ機器に対応する前記状態値が前記ユーザ機器の前記現在のトラフィック課金値を含んでいる場合には、前記ユーザ機器に対応する状態値を問い合わせるステップは、
前記ユーザ機器に対応する前記状態値をオンライン課金システムまたはオフライン課金システムに問い合わせるステップを含む、請求項1から6のいずれか一項に記載の方法。
【請求項９】
前記セルの前記負荷値は、前記セルの輻輳の度合いに相当し、前記トラフィック課金値は、ユーザの月の割当使用量または現在のトラフィック値に相当する、請求項1から8のいずれか一項に記載の方法。
【請求項１０】
コンテンツダウンロード方法であって、
ユーザ機器に対応する状態値を問い合わせるようにダウンロード制御ネットワーク要素をトリガすることができるように、前記ユーザ機器によって、コンテンツに関するダウンロード要求メッセージを前記ダウンロード制御ネットワーク要素に送信するステップであって、前記ユーザ機器に対応する前記状態値がプリセット閾値未満である場合には、前記ダウンロード制御ネットワーク要素が前記コンテンツをコンテンツ提供サーバからダウンロードするように前記ユーザ機器に通知し、前記ユーザ機器に対応する前記状態値は、前記ユーザ機器が現在位置しているセルの負荷値または前記ユーザ機器の現在のトラフィック課金値を含む、ステップと、
前記ユーザ機器によって、前記ダウンロード制御ネットワーク要素の前記通知に応答して、前記コンテンツを前記コンテンツ提供サーバからダウンロードするステップとを含む、方法。
【請求項１１】
前記方法は、
前記ユーザ機器によって、オフラインダウンロードサーバによってプッシュされた前記コンテンツを受信するステップ、または
前記ユーザ機器によって、前記ダウンロード制御ネットワーク要素の通知に応答して、前記コンテンツをオフラインダウンロードサーバからダウンロードするステップをさらに含み、
前記ユーザ機器の前記状態値が前記プリセット閾値以上である場合には、前記ダウンロード制御ネットワーク要素は、前記コンテンツを前記コンテンツ提供サーバからダウンロードして前記コンテンツをバッファするように前記オフラインダウンロードサーバに通知して、前記バッファされたコンテンツを前記ユーザ機器にプッシュするように前記オフラインダウンロードサーバに通知する、または前記コンテンツを前記オフラインダウンロードサーバからダウンロードするように前記ユーザ機器に通知する、請求項10に記載の方法。
【請求項１２】
前記セルの前記負荷値は、前記セルの輻輳の度合いに相当し、前記トラフィック課金値は、ユーザの月の割当使用量または現在のトラフィック値に相当する、請求項10から11のいずれか一項に記載の方法。
【請求項１３】
コンテンツダウンロード方法であって、
オフラインダウンロードサーバによって、ダウンロード制御ネットワーク要素の第1の通知に応答して、コンテンツをコンテンツ提供サーバからダウンロードして前記コンテンツをバッファするステップと、
前記オフラインダウンロードサーバによって、前記ダウンロード制御ネットワーク要素の第2の通知に応答して、前記バッファされたコンテンツをユーザ機器にプッシュするステップとを含み、
前記ユーザ機器によって送信された前記コンテンツに関するダウンロード要求メッセージを受信した後に、前記ダウンロード制御ネットワーク要素が前記ユーザ機器に対応する状態値を問い合わせて、前記ユーザ機器に対応する前記状態値がプリセット閾値未満である場合には、前記第1の通知は、前記ダウンロード制御ネットワーク要素によって送信され、前記ユーザ機器に対応する前記状態値は、前記ユーザ機器が現在位置しているセルの負荷値または前記ユーザ機器の現在のトラフィック課金値を含む、方法。
【請求項１４】
前記方法は、
前記オフラインダウンロードサーバによって、前記ダウンロード制御ネットワーク要素の第3の通知に応答して、前記バッファされたコンテンツを前記ユーザ機器に結びつけられた関連デバイスにプッシュするステップ、または
前記オフラインダウンロードサーバによって、前記ダウンロード制御ネットワーク要素の第3の通知に応答して、前記コンテンツを前記オフラインダウンロードサーバからダウンロードするように前記ユーザ機器に結びつけられた関連デバイスに通知するステップを含む、請求項13に記載の方法。
【請求項１５】
前記セルの前記負荷値は、前記セルの輻輳の度合いに相当し、前記トラフィック課金値は、ユーザの月の割当使用量または現在のトラフィック値に相当する、請求項13から14のいずれか一項に記載の方法。
【請求項１６】
ダウンロード制御ネットワーク要素であって、
ユーザ機器によって送信されたコンテンツに関するダウンロード要求メッセージを受信するように構成される、受信ユニットと、
前記ユーザ機器に対応する状態値を問い合わせるように構成される、問合せユニットであって、前記ユーザ機器に対応する前記状態値は、前記ユーザ機器が現在位置しているセルの負荷値または前記ユーザ機器の現在のトラフィック課金値を含む、問合せユニットと、
前記ユーザ機器に対応する前記状態値がプリセット閾値未満であるかどうかを決定するように構成される、決定ユニットと、
前記ユーザ機器に対応する前記状態値が前記プリセット閾値未満であると前記決定ユニットが決定すると、前記コンテンツをコンテンツ提供サーバから直接ダウンロードするように前記ユーザ機器に通知するように構成される、通知ユニットとを備える、ダウンロード制御ネットワーク要素。
【請求項１７】
前記通知ユニットは、前記ユーザ機器に対応する前記状態値が前記プリセット閾値以上であると前記決定ユニットが決定すると、前記コンテンツを前記コンテンツ提供サーバからダウンロードして前記コンテンツをバッファするようにオフラインダウンロードサーバに通知するようにさらに構成される、請求項16に記載のダウンロード制御ネットワーク要素。
【請求項１８】
前記通知ユニットは、前記バッファされたコンテンツを前記ユーザ機器にプッシュするように前記オフラインダウンロードサーバに通知するようにさらに構成される、または前記コンテンツを前記オフラインダウンロードサーバからダウンロードするように前記ユーザ機器に通知するようにさらに構成される、請求項17に記載のダウンロード制御ネットワーク要素。
【請求項１９】
前記通知ユニットは、前記ユーザ機器に対応する前記状態値が前記プリセット閾値未満であると前記決定ユニットが決定すると、前記バッファされたコンテンツを前記ユーザ機器にプッシュするように前記オフラインダウンロードサーバに通知するようにさらに構成される、または前記コンテンツを前記オフラインダウンロードサーバからダウンロードするように前記ユーザ機器に通知するようにさらに構成される、請求項18に記載のダウンロード制御ネットワーク要素。
【請求項２０】
前記通知ユニットは、前記バッファされたコンテンツを前記ユーザ機器に結びつけられた関連デバイスにプッシュするように前記オフラインダウンロードサーバに通知するようにさらに構成される、または前記コンテンツを前記オフラインダウンロードサーバからダウンロードするように前記ユーザ機器に結びつけられた関連デバイスに通知するようにさらに構成される、請求項17、18、または19に記載のダウンロード制御ネットワーク要素。
【請求項２１】
前記通知ユニットは、前記オフラインダウンロードサーバによって前記コンテンツ提供サーバからダウンロードされた前記コンテンツのトラフィックに対する割引課金を実行するようにパケットデータネットワークゲートウェイに通知するようにさらに構成される、請求項17から20のいずれか一項に記載のダウンロード制御ネットワーク要素。
【請求項２２】
前記ユーザ機器に対応する前記状態値が、前記ユーザ機器が現在位置している前記セルの前記負荷値を含んでいる場合には、前記問合せユニットは、前記ユーザ機器に対応する前記状態値を前記パケットデータネットワークゲートウェイまたは前記ユーザ機器が現在位置している前記セルの基地局に問い合わせるように特に構成される、請求項16から20のいずれか一項に記載のダウンロード制御ネットワーク要素。
【請求項２３】
前記ユーザ機器に対応する前記状態値が前記ユーザ機器の前記現在のトラフィック課金値を含んでいる場合には、前記問合せユニットは、前記ユーザ機器に対応する前記状態値をオンライン課金システムまたはオフライン課金システムに問い合わせるように特に構成される、請求項16から20のいずれか一項に記載のダウンロード制御ネットワーク要素。
【請求項２４】
コンピュータ記憶媒体であって、
前記コンピュータ記憶媒体は、プログラムを記憶し、前記プログラムが実行される際には、請求項1から9のいずれか一項に記載のステップが含まれる、コンピュータ記憶媒体。
【請求項２５】
入力装置と、出力装置と、プロセッサとを備える、ダウンロード制御ネットワーク要素であって、
前記プロセッサは、
ユーザ機器によって送信されたコンテンツに関するダウンロード要求メッセージを受信するステップと、
前記ユーザ機器に対応する状態値を問い合わせるステップであって、前記ユーザ機器に対応する前記状態値は、前記ユーザ機器が現在位置しているセルの負荷値または前記ユーザ機器の現在のトラフィック課金値を含む、ステップと、
前記ユーザ機器に対応する前記状態値がプリセット閾値未満である場合には、前記コンテンツをコンテンツ提供サーバから直接ダウンロードするように前記ユーザ機器に通知するステップとを実行する、ダウンロード制御ネットワーク要素。
【請求項２６】
前記プロセッサは、
前記ユーザ機器の前記状態値が前記プリセット閾値以上である場合には、前記コンテンツを前記コンテンツ提供サーバからダウンロードして前記コンテンツをバッファするようにオフラインダウンロードサーバに通知するステップをさらに実行する、請求項25に記載のダウンロード制御ネットワーク要素。
【請求項２７】
前記プロセッサは、
前記バッファされたコンテンツを前記ユーザ機器にプッシュするように前記オフラインダウンロードサーバに通知するステップ、または前記コンテンツを前記オフラインダウンロードサーバからダウンロードするように前記ユーザ機器に通知するステップをさらに実行する、請求項26に記載のダウンロード制御ネットワーク要素。
【請求項２８】
前記プロセッサは、
前記バッファされたコンテンツを前記ユーザ機器にプッシュするように前記オフラインダウンロードサーバに通知するステップ、または前記コンテンツを前記オフラインダウンロードサーバからダウンロードするように前記ユーザ機器に通知するステップの前に、前記ユーザ機器に対応する前記状態値が前記プリセット閾値未満であるかどうかを決定するステップと、前記ユーザ機器に対応する前記状態値が前記プリセット閾値未満である場合には、前記バッファされたコンテンツを前記ユーザ機器にプッシュするように前記オフラインダウンロードサーバに通知するステップ、または前記コンテンツを前記オフラインダウンロードサーバからダウンロードするように前記ユーザ機器に通知するステップを実行するステップをさらに実行する、請求項27に記載のダウンロード制御ネットワーク要素。
【請求項２９】
前記プロセッサは、
前記バッファされたコンテンツを前記ユーザ機器に結びつけられた関連デバイスにプッシュするように前記オフラインダウンロードサーバに通知するステップ、または前記コンテンツを前記オフラインダウンロードサーバからダウンロードするように前記ユーザ機器に結びつけられた関連デバイスに通知するステップをさらに実行する、請求項26、27、または28に記載のダウンロード制御ネットワーク要素。
【請求項３０】
前記プロセッサは、
前記オフラインダウンロードサーバによって前記コンテンツ提供サーバからダウンロードされた前記コンテンツのトラフィックに対する割引課金を実行するようにパケットデータネットワークゲートウェイに通知するステップをさらに実行する、請求項26から29のいずれか一項に記載のダウンロード制御ネットワーク要素。
【請求項３１】
前記ユーザ機器に対応する前記状態値が、前記ユーザ機器が現在位置している前記セルの前記負荷値を含んでいる場合には、前記プロセッサが前記ユーザ機器に対応する前記状態値を問い合わせると、
前記ユーザ機器に対応する前記状態値をパケットデータネットワークゲートウェイまたは前記ユーザ機器が現在位置している前記セルの基地局に問い合わせるステップを実行する、請求項25から29のいずれか一項に記載のダウンロード制御ネットワーク要素。
【請求項３２】
前記ユーザ機器に対応する前記状態値が前記ユーザ機器の前記現在のトラフィック課金値を含んでいる場合には、前記プロセッサが前記ユーザ機器に対応する前記状態値を問い合わせると、
前記ユーザ機器に対応する前記状態値をオンライン課金システムまたはオフライン課金システムに問い合わせるステップを実行する、請求項25から29のいずれか一項に記載のダウンロード制御ネットワーク要素。
【請求項３３】
ユーザ機器であって、
前記ユーザ機器に対応する状態値を問い合わせるようにダウンロード制御ネットワーク要素をトリガすることができるように、コンテンツに関するダウンロード要求メッセージを前記ダウンロード制御ネットワーク要素に送信するように構成される、送信ユニットであって、前記ユーザ機器に対応する前記状態値がプリセット閾値未満である場合には、前記ダウンロード制御ネットワーク要素が前記コンテンツをコンテンツ提供サーバからダウンロードするように前記ユーザ機器に通知し、前記ユーザ機器に対応する前記状態値は、前記ユーザ機器が現在位置しているセルの負荷値または前記ユーザ機器の現在のトラフィック課金値を含む、送信ユニットと、
前記ダウンロード制御ネットワーク要素の前記通知に応答して、前記コンテンツを前記コンテンツ提供サーバからダウンロードするように構成される、ダウンロードユニットとを備える、ユーザ機器。
【請求項３４】
前記ダウンロードユニットは、オフラインダウンロードサーバによってプッシュされた前記コンテンツを受信するようにさらに構成される、または前記ダウンロード制御ネットワーク要素の通知に応答して、前記コンテンツをオフラインダウンロードサーバからダウンロードするようにさらに構成され、前記ユーザ機器の前記状態値が前記プリセット閾値以上である場合には、前記ダウンロード制御ネットワーク要素は、前記コンテンツを前記コンテンツ提供サーバからダウンロードして前記コンテンツをバッファするように前記オフラインダウンロードサーバに通知して、前記バッファされたコンテンツを前記ユーザ機器にプッシュするように前記オフラインダウンロードサーバに通知する、または前記コンテンツを前記オフラインダウンロードサーバからダウンロードするように前記ユーザ機器に通知する、請求項33に記載のユーザ機器。
【請求項３５】
コンピュータ記憶媒体であって、
前記コンピュータ記憶媒体は、プログラムを記憶し、前記プログラムが実行される際には、請求項10から12のいずれか一項に記載のステップが含まれる、コンピュータ記憶媒体。
【請求項３６】
入力装置と、出力装置と、プロセッサとを備える、ユーザ機器であって、前記プロセッサは、
前記ユーザ機器に対応する状態値を問い合わせるようにダウンロード制御ネットワーク要素をトリガすることができるように、コンテンツに関するダウンロード要求メッセージを前記ダウンロード制御ネットワーク要素に送信するステップであって、前記ユーザ機器に対応する前記状態値がプリセット閾値未満である場合には、前記ダウンロード制御ネットワーク要素が前記コンテンツをコンテンツ提供サーバから直接ダウンロードするように前記ユーザ機器に通知し、前記ユーザ機器に対応する前記状態値は、前記ユーザ機器が現在位置しているセルの負荷値または前記ユーザ機器の現在のトラフィック課金値を含む、ステップと、前記ダウンロード制御ネットワーク要素の前記通知に応答して、前記コンテンツを前記コンテンツ提供サーバから直接ダウンロードするステップとを実行する、ユーザ機器。
【請求項３７】
前記プロセッサは、
オフラインダウンロードサーバによってプッシュされた前記コンテンツを受信するステップ、または
前記ダウンロード制御ネットワーク要素の通知に応答して、前記コンテンツをオフラインダウンロードサーバからダウンロードするステップをさらに実行し、
前記ユーザ機器の前記状態値が前記プリセット閾値以上である場合には、前記ダウンロード制御ネットワーク要素は、前記コンテンツを前記コンテンツ提供サーバからダウンロードして前記コンテンツをバッファするように前記オフラインダウンロードサーバに通知して、前記バッファされたコンテンツを前記ユーザ機器にプッシュするように前記オフラインダウンロードサーバに通知する、または前記コンテンツを前記オフラインダウンロードサーバからダウンロードするように前記ユーザ機器に通知する、請求項36に記載のユーザ機器。
【請求項３８】
オフラインダウンロードサーバであって、
ダウンロード制御ネットワーク要素の第1の通知に応答して、コンテンツをコンテンツ提供サーバからダウンロードして前記コンテンツをバッファするように構成される、第1の応答ユニットと、
前記ダウンロード制御ネットワーク要素の第2の通知に応答して、前記第1の応答ユニットによってバッファされた前記コンテンツをユーザ機器にプッシュするように構成される、第2の応答ユニットとを備え、
前記ユーザ機器によって送信された前記コンテンツに関するダウンロード要求メッセージを受信した後に、前記ダウンロード制御ネットワーク要素が前記ユーザ機器に対応する状態値を問い合わせて、前記ユーザ機器に対応する前記状態値がプリセット閾値未満である場合には、前記第1の通知は、前記ダウンロード制御ネットワーク要素によって送信され、前記ユーザ機器に対応する前記状態値は、前記ユーザ機器が現在位置しているセルの負荷値または前記ユーザ機器の現在のトラフィック課金値を含む、オフラインダウンロードサーバ。
【請求項３９】
前記第2の応答ユニットは、前記ダウンロード制御ネットワーク要素の第3の通知に応答して、前記第1の応答ユニットによってバッファされた前記コンテンツを前記ユーザ機器に結びつけられた関連デバイスにプッシュするようにさらに構成される、または
前記第2の応答ユニットは、前記ダウンロード制御ネットワーク要素の第3の通知に応答して、前記コンテンツを前記オフラインダウンロードサーバからダウンロードするように前記ユーザ機器に結びつけられた関連デバイスに通知するようにさらに構成される、請求項38に記載のオフラインダウンロードサーバ。
【請求項４０】
コンピュータ記憶媒体であって、
前記コンピュータ記憶媒体は、プログラムを記憶し、前記プログラムが実行される際には、請求項13から15のいずれか一項に記載のステップが含まれる、コンピュータ記憶媒体。
【請求項４１】
入力装置と、出力装置と、プロセッサとを備える、オフラインダウンロードサーバであって、
前記プロセッサは、
ダウンロード制御ネットワーク要素の第1の通知に応答して、コンテンツをコンテンツ提供サーバからダウンロードして前記コンテンツをバッファするステップと、
前記ダウンロード制御ネットワーク要素の第2の通知に応答して、前記バッファされたコンテンツをユーザ機器にプッシュするステップを実行し、
前記ユーザ機器によって送信された前記コンテンツに関するダウンロード要求メッセージを受信した後に、前記ダウンロード制御ネットワーク要素が前記ユーザ機器に対応する状態値を問い合わせて、前記ユーザ機器に対応する前記状態値がプリセット閾値未満である場合には、前記第1の通知は、前記ダウンロード制御ネットワーク要素によって送信され、前記ユーザ機器に対応する前記状態値は、前記ユーザ機器が現在位置しているセルの負荷値または前記ユーザ機器の現在のトラフィック課金値を含む、オフラインダウンロードサーバ。
【請求項４２】
前記プロセッサは、
前記ダウンロード制御ネットワーク要素の第3の通知に応答して、前記バッファされたコンテンツを前記ユーザ機器に結びつけられた関連デバイスにプッシュするステップ、または
前記ダウンロード制御ネットワーク要素の第3の通知に応答して、前記コンテンツを前記オフラインダウンロードサーバからダウンロードするように前記ユーザ機器に結びつけられた関連デバイスに通知するステップをさらに実行する、請求項41に記載のオフラインダウンロードサーバ。
【請求項４３】
ユーザ機器とダウンロード制御ネットワーク要素とを少なくとも備える、コンテンツダウンロードシステムであって、
前記ユーザ機器は、コンテンツに関するダウンロード要求メッセージを前記ダウンロード制御ネットワーク要素に送信して、前記ダウンロード制御ネットワーク要素の通知に応答して、前記コンテンツをコンテンツ提供サーバから直接ダウンロードするように構成され、
前記ダウンロード制御ネットワーク要素は、前記ユーザ機器によって送信された前記コンテンツのダウンロード要求メッセージを受信して、前記ユーザ機器に対応する状態値を問い合わせるように構成され、前記ユーザ機器に対応する前記状態値は、前記ユーザ機器が現在位置しているセルの負荷値または前記ユーザ機器の現在のトラフィック課金値を含み、前記ユーザ機器に対応する前記状態値がプリセット閾値未満である場合には、前記コンテンツを前記コンテンツ提供サーバから直接ダウンロードするように前記ユーザ機器に通知するように構成される、コンテンツダウンロードシステム。
【請求項４４】
オフラインダウンロードサーバをさらに備え、
前記オフラインダウンロードサーバは、前記ダウンロード制御ネットワーク要素の第1の通知に応答して、前記コンテンツを前記コンテンツ提供サーバからダウンロードして前記コンテンツをバッファするように構成され、
前記ダウンロード制御ネットワーク要素は、前記ユーザ機器に対応する前記状態値が前記プリセット閾値以上である場合には、前記第1の通知を前記オフラインダウンロードサーバに送信するようにさらに構成され、前記第1の通知は、前記コンテンツを前記コンテンツ提供サーバからダウンロードして前記コンテンツをバッファするように前記オフラインダウンロードサーバに通知するように使用される、請求項43に記載のコンテンツダウンロードシステム。
【請求項４５】
前記オフラインダウンロードサーバは、前記ダウンロード制御ネットワーク要素の第2の通知に応答して、前記バッファされたコンテンツを前記ユーザ機器にプッシュするようにさらに構成され、
前記ダウンロード制御ネットワーク要素は、前記第2の通知を前記オフラインダウンロードサーバに送信するようにさらに構成され、前記第2の通知は、前記バッファされたコンテンツを前記ユーザ機器にプッシュするように前記オフラインダウンロードサーバに通知するために使用され、
前記ユーザ機器は、前記オフラインダウンロードサーバによってプッシュされた前記コンテンツを受信するようにさらに構成される、請求項44に記載のコンテンツダウンロードシステム。
【請求項４６】
前記オフラインダウンロードサーバは、前記ダウンロード制御ネットワーク要素の第3の通知に応答して、前記バッファされたコンテンツを前記ユーザ機器に結びつけられた関連デバイスにプッシュするようにさらに構成される、または前記ダウンロード制御ネットワーク要素の第3の通知に応答して、前記コンテンツを前記オフラインダウンロードサーバからダウンロードするように前記ユーザ機器に結びつけられた関連デバイスに通知するようにさらに構成され、
前記ダウンロード制御ネットワーク要素は、前記第3の通知を前記オフラインダウンロードサーバに送信するようにさらに構成され、前記第3の通知は、前記バッファされたコンテンツを前記ユーザ機器に結びつけられた前記関連デバイスにプッシュするように前記オフラインダウンロードサーバに通知するために使用される、または前記コンテンツを前記オフラインダウンロードサーバからダウンロードするように前記ユーザ機器に結びつけられた前記関連デバイスに通知するようにさらに構成される、請求項44または45に記載のコンテンツダウンロードシステム。
【発明の詳細な説明】
【技術分野】
【０００１】
本出願は、モバイルネットワークの分野に関し、具体的には、コンテンツダウンロードの方法、関連デバイス、およびシステムに関する。
【背景技術】
【０００２】
モバイルネットワークにおいて、ユーザ機器(User Equipment、UE)の機能の増大が、例えば、ウェブブラウジング、ビデオ鑑賞、オンラインゲーム、およびコンテンツダウンロードといった多くのサービスをUEが実行することをできるようにしている。コンテンツダウンロードは、モバイルネットワークにおいてUEによって最も頻繁に実行されるサービスの1つである。UEは、主に以下の2つによって、コンテンツダウンロードを実行する。第1のダウンロードでは、UEが、コンテンツダウンロード要求をコンテンツ提供サーバに送信して、コンテンツ提供サーバが、コンテンツをUEにダウンロードする。第2のダウンロードでは、UEが、まずダウンロードされる必要があるコンテンツのロケーション情報をオフラインダウンロードサーバに通知して、オフラインダウンロードサーバが、UEのプロキシとしてコンテンツ提供サーバのコンテンツをオフラインダウンロードサーバにバッファするように動作して、その後、UEが、固定ネットワークデバイス(例えば、パーソナルコンピュータ)を使用して、オフラインダウンロードサーバによってバッファされたコンテンツを固定ネットワークデバイスにダウンロードして、固定ネットワークデバイスとUEとの間の同期技術を使用してコンテンツをUEにダウンロードしてもよい。
【０００３】
モバイルネットワークの帯域幅は、一般的に、複数のユーザによって共有される。セルの複数のユーザが高帯域幅サービスを同時に実行した場合には、ネットワークリソースの輻輳がセルに発生し得る。この時、UEが、第1のダウンロードを使用してコンテンツダウンロードを実行する場合には、輻輳が激しくなり得るので、それによってネットワークリソース利用率が低下することになる。さらに、モバイルネットワークは、一般的に制限付きトラフィックとして定額月額料金で請求され、超過トラフィックは、比較的高い料金請求方式で請求される。しかしながら、ユーザは、今月消費したトラフィック、またはユーザがローミングしているかどうかについて敏感ではない。ユーザが現在使用している月のトラフィック上限を超過もしくは上限に達してしまった場合には、またはユーザがローミング課金状態にある場合には、第1のダウンロードを使用してコンテンツダウンロードを実行することは、余分な支払いをもたらすことがある。第2のダウンロードにおいては、モバイルネットワークがコンテンツダウンロードに適していないとはじめから見なされる。モバイルネットワークは、ダウンロード信号を伝送するためだけに使用される一方で、ダウンロードは、固定回線ネットワークで実行される。第2のダウンロードは、ユーザエクスペリエンスに大きな影響力を与える。例えば、ユーザが外で活動している最中に携帯電話を使用して携帯電話の電子書籍をダウンロードした場合には、ユーザは、電子書籍をその場で見ることができず、帰宅した後に、パーソナルコンピュータを使用して電子書籍を携帯電話と同期することで電子書籍を見る必要があるので、それによってユーザエクスペリエンスが低下することになる。
【発明の概要】
【課題を解決するための手段】
【０００４】
本出願は、コンテンツダウンロードの方法、関連デバイス、およびシステムを提供し、ネットワークリソース利用率を向上させ、ユーザによる余分な支払いを低減させ、ユーザエクスペリエンスを向上させるために使用される。
【０００５】
本出願の第1の態様は、コンテンツダウンロード方法を提供し、コンテンツダウンロード方法は、
ユーザ機器によって送信されたコンテンツに関するダウンロード要求メッセージを受信するステップと、
ユーザ機器に対応する状態値を問い合わせるステップであって、ユーザ機器に対応する状態値は、ユーザ機器が現在位置しているセルの負荷値またはユーザ機器の現在のトラフィック課金値を含む、ステップと、
ユーザ機器に対応する状態値がプリセット閾値未満である場合には、コンテンツをコンテンツ提供サーバから直接ダウンロードするようにユーザ機器に通知するステップとを含む。
【０００６】
第1の可能な実施形態においては、ユーザ機器の状態値がプリセット閾値以上である場合には、コンテンツをコンテンツ提供サーバからダウンロードしてコンテンツをバッファするようにオフラインダウンロードサーバに通知するステップを含む。
【０００７】
第1の態様の第1の可能な実施形態に準拠している第2の可能な実施形態においては、バッファされたコンテンツをユーザ機器にプッシュするようにオフラインダウンロードサーバに通知するステップ、またはコンテンツをオフラインダウンロードサーバからダウンロードするようにユーザ機器に通知するステップを含む。
【０００８】
第1の態様の第2の可能な実施形態に準拠している第3の可能な実施形態においては、バッファされたコンテンツをユーザ機器にプッシュするようにオフラインダウンロードサーバに通知するステップ、またはコンテンツをオフラインダウンロードサーバからダウンロードするようにユーザ機器に通知するステップの前に、ユーザ機器に対応する状態値がプリセット閾値未満であるかどうかを決定するステップと、ユーザ機器に対応する状態値がプリセット閾値未満である場合には、バッファされたコンテンツをユーザ機器にプッシュするようにオフラインダウンロードサーバに通知するステップ、またはコンテンツをオフラインダウンロードサーバからダウンロードするようにユーザ機器に通知するステップを実行するステップとを含む。
【０００９】
第1の態様の第1、第2、または第3の可能な実施形態に準拠している第4の可能な実施形態においては、バッファされたコンテンツをユーザ機器に結びつけられた関連デバイスにプッシュするようにオフラインダウンロードサーバに通知するステップ、またはコンテンツをオフラインダウンロードサーバからダウンロードするようにユーザ機器に結びつけられた関連デバイスに通知するステップを含む。
【００１０】
第1の態様の第1、第2、第3、または第4の可能な実施形態に準拠している第11の可能な実施形態においては、オフラインダウンロードサーバによってコンテンツ提供サーバからダウンロードされたコンテンツのトラフィックに対する割引課金を実行するようにパケットデータネットワークゲートウェイに通知するステップを含む。
【００１１】
第1の態様に準拠しているまたは第1の態様第1から第5の可能な実施形態のいずれか1つに準拠している第6の可能な実施形態においては、ユーザ機器に対応する状態値が、ユーザ機器が現在位置しているセルの負荷値を含んでいる場合には、ユーザ機器に対応する状態値を問い合わせるステップは、
ユーザ機器に対応する状態値をパケットデータネットワークゲートウェイまたはユーザ機器が現在位置しているセルの基地局に問い合わせるステップを含む。
【００１２】
第1の態様に準拠しているまたは第1の態様第1から第5の可能な実施形態のいずれか1つに準拠している第7の可能な実施形態においては、ユーザ機器に対応する状態値がユーザ機器の現在のトラフィック課金値を含んでいる場合には、ユーザ機器に対応する状態値を問い合わせるステップは、
ユーザ機器に対応する状態値をオンライン課金システムまたはオフライン課金システムに問い合わせるステップを含む。
【００１３】
本出願の第2の態様は、コンテンツダウンロード方法を提供し、コンテンツダウンロード方法は、
ユーザ機器に対応する状態値を問い合わせるようにダウンロード制御ネットワーク要素をトリガすることができるように、ユーザ機器によって、コンテンツに関するダウンロード要求メッセージをダウンロード制御ネットワーク要素に送信するステップであって、ユーザ機器に対応する状態値がプリセット閾値未満である場合には、ダウンロード制御ネットワーク要素がコンテンツをコンテンツ提供サーバからダウンロードするようにユーザ機器に通知し、ユーザ機器に対応する状態値は、ユーザ機器が現在位置しているセルの負荷値またはユーザ機器の現在のトラフィック課金値を含む、ステップと、
ユーザ機器によって、ダウンロード制御ネットワーク要素の通知に応答して、コンテンツをコンテンツ提供サーバから直接ダウンロードするステップとを含む。
【００１４】
第1の可能な実施形態においては、ユーザ機器によって、オフラインダウンロードサーバによってプッシュされたコンテンツを受信するステップ、またはユーザ機器によって、ダウンロード制御ネットワーク要素の通知に応答して、コンテンツをオフラインダウンロードサーバからダウンロードするステップを含み、ユーザ機器の状態値がプリセット閾値以上である場合には、ダウンロード制御ネットワーク要素は、コンテンツをコンテンツ提供サーバからダウンロードしてコンテンツをバッファするようにオフラインダウンロードサーバに通知して、バッファされたコンテンツをユーザ機器にプッシュするようにオフラインダウンロードサーバに通知する、またはコンテンツをオフラインダウンロードサーバからダウンロードするようにユーザ機器に通知する。
【００１５】
本出願の第3の態様は、コンテンツダウンロード方法を提供し、コンテンツダウンロード方法は、
オフラインダウンロードサーバによって、ダウンロード制御ネットワーク要素の第1の通知に応答して、コンテンツをコンテンツ提供サーバからダウンロードしてコンテンツをバッファするステップと、
オフラインダウンロードサーバによって、ダウンロード制御ネットワーク要素の第2の通知に応答して、バッファされたコンテンツをユーザ機器にプッシュするステップとを含み、
ユーザ機器によって送信されたコンテンツに関するダウンロード要求メッセージを受信した後に、ダウンロード制御ネットワーク要素がユーザ機器に対応する状態値を問い合わせて、ユーザ機器に対応する状態値がプリセット閾値未満である場合には、第1の通知は、ダウンロード制御ネットワーク要素によって送信され、ユーザ機器に対応する状態値は、ユーザ機器が現在位置しているセルの負荷値またはユーザ機器の現在のトラフィック課金値を含む。
【００１６】
第1の可能な実施形態においては、オフラインダウンロードサーバによって、ダウンロード制御ネットワーク要素の第3の通知に応答して、バッファされたコンテンツをユーザ機器に結びつけられた関連デバイスにプッシュするステップ、または
オフラインダウンロードサーバによって、ダウンロード制御ネットワーク要素の第3の通知に応答して、コンテンツをオフラインダウンロードサーバからダウンロードするようにユーザ機器に結びつけられた関連デバイスに通知するステップを含む。
【００１７】
本出願の第4の態様は、ダウンロード制御ネットワーク要素を提供し、ダウンロード制御ネットワーク要素は、
ユーザ機器によって送信されたコンテンツに関するダウンロード要求メッセージを受信するように構成される、受信ユニットと、
ユーザ機器に対応する状態値を問い合わせるように構成される、問合せユニットであって、ユーザ機器に対応する状態値は、ユーザ機器が現在位置しているセルの負荷値またはユーザ機器の現在のトラフィック課金値を含む、問合せユニットと、
ユーザ機器に対応する状態値がプリセット閾値未満であるかどうかを決定するように構成される、決定ユニットと、
ユーザ機器に対応する状態値がプリセット閾値未満であると決定ユニットが決定すると、コンテンツをコンテンツ提供サーバからダウンロードするようにユーザ機器に通知するように構成される、通知ユニットとを備える。
【００１８】
第1の可能な実施形態においては、通知ユニットは、ユーザ機器の状態値がプリセット閾値以上であると決定ユニットが決定すると、コンテンツをコンテンツ提供サーバからダウンロードしてコンテンツをバッファするようにオフラインダウンロードサーバに通知するようにさらに構成される。
【００１９】
第4の態様の第1の可能な実施形態に準拠している第2の可能な実施形態においては、通知ユニットは、バッファされたコンテンツをユーザ機器にプッシュするようにオフラインダウンロードサーバに通知するようにさらに構成される、またはコンテンツをオフラインダウンロードサーバからダウンロードするようにユーザ機器に通知するようにさらに構成される。
【００２０】
第4の態様の第2の可能な実施形態に準拠している第3の可能な実施形態においては、通知ユニットは、ユーザ機器に対応する状態値がプリセット閾値未満であると決定ユニットが決定すると、バッファされたコンテンツをユーザ機器にプッシュするようにオフラインダウンロードサーバに通知するようにさらに構成される、またはコンテンツをオフラインダウンロードサーバからダウンロードするようにユーザ機器に通知するようにさらに構成される。
【００２１】
第4の態様の第1、第2、または第3の可能な実施形態に準拠している第4の可能な実施形態においては、通知ユニットは、バッファされたコンテンツをユーザ機器に結びつけられた関連デバイスにプッシュするようにオフラインダウンロードサーバに通知するようにさらに構成される、またはコンテンツをオフラインダウンロードサーバからダウンロードするようにユーザ機器に結びつけられた関連デバイスに通知するようにさらに構成される。
【００２２】
第4の態様の第1、第2、第3、または第4の可能な実施形態に準拠している第11の可能な実施形態においては、通知ユニットは、オフラインダウンロードサーバによってコンテンツ提供サーバからダウンロードされたコンテンツのトラフィックに対する割引課金を実行するようにパケットデータネットワークゲートウェイに通知するようにさらに構成される。
【００２３】
第4の態様に準拠しているまたは第1の態様第1から第5の可能な実施形態のいずれか1つに準拠している第6の可能な実施形態においては、ユーザ機器に対応する状態値が、ユーザ機器が現在位置しているセルの負荷値を含んでいる場合には、問合せユニットは、ユーザ機器に対応する状態値をパケットデータネットワークゲートウェイまたはユーザ機器が現在位置しているセルの基地局に問い合わせるように特に構成される。
【００２４】
第4の態様に準拠しているまたは第1の態様第1から第5の可能な実施形態のいずれか1つに準拠している第7の可能な実施形態においては、ユーザ機器に対応する状態値がユーザ機器の現在のトラフィック課金値を含んでいる場合には、問合せユニットは、ユーザ機器に対応する状態値をオンライン課金システムまたはオフライン課金システムに問い合わせるように特に構成される。
【００２５】
本出願の第5の態様は、コンピュータ記憶媒体を提供し、コンピュータ記憶媒体は、プログラムを記憶し、プログラムが実行される際には、本出願の第1の態様によるコンテンツダウンロード方法のステップのすべてまたは一部が含まれる。
【００２６】
本出願の第6の態様は、ダウンロード制御ネットワーク要素を提供し、ダウンロード制御ネットワーク要素は、入力装置と、出力装置と、プロセッサとを備え、
プロセッサは、
ユーザ機器によって送信されたコンテンツに関するダウンロード要求メッセージを受信するステップと、
ユーザ機器に対応する状態値を問い合わせるステップであって、ユーザ機器に対応する状態値は、ユーザ機器が現在位置しているセルの負荷値またはユーザ機器の現在のトラフィック課金値を含む、ステップと、
ユーザ機器に対応する状態値がプリセット閾値未満である場合には、コンテンツをコンテンツ提供サーバからダウンロードするようにユーザ機器に通知するステップとを実行する。
【００２７】
第1の可能な実施形態においては、プロセッサは、
ユーザ機器の状態値がプリセット閾値以上である場合には、コンテンツをコンテンツ提供サーバからダウンロードしてコンテンツをバッファするようにオフラインダウンロードサーバに通知するステップをさらに実行する。
【００２８】
第6の態様の第1の可能な実施形態に準拠している第2の可能な実施形態においては、プロセッサは、
バッファされたコンテンツをユーザ機器にプッシュするようにオフラインダウンロードサーバに通知するステップ、またはコンテンツをオフラインダウンロードサーバからダウンロードするようにユーザ機器に通知するステップをさらに実行する。
【００２９】
第6の態様の第2の可能な実施形態に準拠している第3の可能な実施形態においては、プロセッサは、
バッファされたコンテンツをユーザ機器にプッシュするようにオフラインダウンロードサーバに通知するステップ、またはコンテンツをオフラインダウンロードサーバからダウンロードするようにユーザ機器に通知するステップの前に、ユーザ機器に対応する状態値がプリセット閾値未満であるかどうかを決定するステップと、ユーザ機器に対応する状態値がプリセット閾値未満である場合には、バッファされたコンテンツをユーザ機器にプッシュするようにオフラインダウンロードサーバに通知するステップ、またはコンテンツをオフラインダウンロードサーバからダウンロードするようにユーザ機器に通知するステップを実行するステップとをさらに実行する。
【００３０】
第6の態様の第1、第2、または第3の可能な実施形態に準拠している第4の可能な実施形態においては、プロセッサは、
バッファされたコンテンツをユーザ機器に結びつけられた関連デバイスにプッシュするようにオフラインダウンロードサーバに通知するステップ、またはコンテンツをオフラインダウンロードサーバからダウンロードするようにユーザ機器に結びつけられた関連デバイスに通知するステップをさらに実行する。
【００３１】
第6の態様の第1、第2、第3、または第4の可能な実施形態に準拠している第11の可能な実施形態においては、プロセッサは、
オフラインダウンロードサーバによってコンテンツ提供サーバからダウンロードされたコンテンツのトラフィックに対する割引課金を実行するようにパケットデータネットワークゲートウェイに通知するステップをさらに実行する。
【００３２】
第6の態様に準拠しているまたは第1の態様第1から第5の可能な実施形態のいずれか1つに準拠している第6の可能な実施形態においては、ユーザ機器に対応する状態値が、ユーザ機器が現在位置しているセルの負荷値を含んでいる場合には、プロセッサがユーザ機器に対応する状態値を問い合わせると、
ユーザ機器に対応する状態値をパケットデータネットワークゲートウェイまたはユーザ機器が現在位置しているセルの基地局に問い合わせるステップを実行する。
【００３３】
第6の態様に準拠しているまたは第1の態様第1から第5の可能な実施形態のいずれか1つに準拠している第7の可能な実施形態においては、ユーザ機器に対応する状態値がユーザ機器の現在のトラフィック課金値を含んでいる場合には、プロセッサがユーザ機器に対応する状態値を問い合わせると、
ユーザ機器に対応する状態値をオンライン課金システムまたはオフライン課金システムに問い合わせるステップを実行する。
【００３４】
本出願の第7の態様は、ユーザ機器を提供し、ユーザ機器は、
ユーザ機器に対応する状態値を問い合わせるようにダウンロード制御ネットワーク要素をトリガすることができるように、コンテンツに関するダウンロード要求メッセージをダウンロード制御ネットワーク要素に送信するように構成される、送信ユニットであって、ユーザ機器に対応する状態値がプリセット閾値未満である場合には、ダウンロード制御ネットワーク要素がコンテンツをコンテンツ提供サーバからダウンロードするようにユーザ機器に通知し、ユーザ機器に対応する状態値は、ユーザ機器が現在位置しているセルの負荷値またはユーザ機器の現在のトラフィック課金値を含む、送信ユニットと、
ダウンロード制御ネットワーク要素の通知に応答して、コンテンツをコンテンツ提供サーバからダウンロードするように構成される、ダウンロードユニットとを備える。
【００３５】
第1の可能な実施形態においては、ダウンロードユニットは、オフラインダウンロードサーバによってプッシュされたコンテンツを受信するようにさらに構成される、またはダウンロード制御ネットワーク要素の通知に応答して、コンテンツをオフラインダウンロードサーバからダウンロードするようにさらに構成され、ユーザ機器の状態値がプリセット閾値以上である場合には、ダウンロード制御ネットワーク要素は、コンテンツをコンテンツ提供サーバからダウンロードしてコンテンツをバッファするようにオフラインダウンロードサーバに通知して、バッファされたコンテンツをユーザ機器にプッシュするようにオフラインダウンロードサーバに通知する、またはコンテンツをオフラインダウンロードサーバからダウンロードするようにユーザ機器に通知する。
【００３６】
本出願の第8の態様は、コンピュータ記憶媒体を提供し、コンピュータ記憶媒体は、プログラムを記憶し、プログラムが実行される際には、本出願の第2の態様によるコンテンツダウンロード方法のステップのすべてまたは一部が含まれる。
【００３７】
本出願の第9の態様は、ユーザ機器を提供し、ユーザ機器は、入力装置と、出力装置と、プロセッサとを備え、プロセッサは、
ユーザ機器に対応する状態値を問い合わせるようにダウンロード制御ネットワーク要素をトリガすることができるように、コンテンツに関するダウンロード要求メッセージをダウンロード制御ネットワーク要素に送信するステップであって、ユーザ機器に対応する状態値がプリセット閾値未満である場合には、ダウンロード制御ネットワーク要素がコンテンツをコンテンツ提供サーバからダウンロードするようにユーザ機器に通知し、ユーザ機器に対応する状態値は、ユーザ機器が現在位置しているセルの負荷値またはユーザ機器の現在のトラフィック課金値を含む、ステップと、ダウンロード制御ネットワーク要素の通知に応答して、コンテンツをコンテンツ提供サーバからダウンロードするステップとを実行する。
【００３８】
第1の可能な実施形態においては、プロセッサは、
オフラインダウンロードサーバによってプッシュされたコンテンツを受信するステップ、または
ダウンロード制御ネットワーク要素の通知に応答して、コンテンツをオフラインダウンロードサーバからダウンロードするステップをさらに実行し、
ユーザ機器の状態値がプリセット閾値以上である場合には、ダウンロード制御ネットワーク要素は、コンテンツをコンテンツ提供サーバからダウンロードしてコンテンツをバッファするようにオフラインダウンロードサーバに通知して、バッファされたコンテンツをユーザ機器にプッシュするようにオフラインダウンロードサーバに通知する、またはコンテンツをオフラインダウンロードサーバからダウンロードするようにユーザ機器に通知する。
【００３９】
本出願の第10の態様は、オフラインダウンロードサーバを提供し、オフラインダウンロードサーバは、
ダウンロード制御ネットワーク要素の第1の通知に応答して、コンテンツをコンテンツ提供サーバからダウンロードしてコンテンツをバッファするように構成される、第1の応答ユニットと、
ダウンロード制御ネットワーク要素の第2の通知に応答して、第1の応答ユニットによってバッファされたコンテンツをユーザ機器にプッシュするように構成される、第2の応答ユニットとを備え、
ユーザ機器によって送信されたコンテンツに関するダウンロード要求メッセージを受信した後に、ダウンロード制御ネットワーク要素がユーザ機器に対応する状態値を問い合わせて、ユーザ機器に対応する状態値がプリセット閾値未満である場合には、第1の通知は、ダウンロード制御ネットワーク要素によって送信され、ユーザ機器に対応する状態値は、ユーザ機器が現在位置しているセルの負荷値またはユーザ機器の現在のトラフィック課金値を含む。
【００４０】
第1の可能な実施形態においては、第2の応答ユニットは、ダウンロード制御ネットワーク要素の第3の通知に応答して、第1の応答ユニットによってバッファされたコンテンツをユーザ機器に結びつけられた関連デバイスにプッシュするようにさらに構成される、または第2の応答ユニットは、ダウンロード制御ネットワーク要素の第3の通知に応答して、コンテンツをオフラインダウンロードサーバからダウンロードするようにユーザ機器に結びつけられた関連デバイスに通知するようにさらに構成される。
【００４１】
本出願の第11の態様は、コンピュータ記憶媒体を提供し、コンピュータ記憶媒体は、プログラムを記憶し、プログラムが実行される際には、本出願の第3の態様によるコンテンツダウンロード方法のステップのすべてまたは一部が含まれる。
【００４２】
本出願の第12の態様は、オフラインダウンロードサーバを提供し、オフラインダウンロードサーバは、入力装置と、出力装置と、プロセッサとを備え、
プロセッサは、
ダウンロード制御ネットワーク要素の第1の通知に応答して、コンテンツをコンテンツ提供サーバからダウンロードしてコンテンツをバッファするステップと、
ダウンロード制御ネットワーク要素の第2の通知に応答して、バッファされたコンテンツをユーザ機器にプッシュするステップとを実行し、
ユーザ機器によって送信されたコンテンツに関するダウンロード要求メッセージを受信した後に、ダウンロード制御ネットワーク要素がユーザ機器に対応する状態値を問い合わせて、ユーザ機器に対応する状態値がプリセット閾値未満である場合には、第1の通知は、ダウンロード制御ネットワーク要素によって送信され、ユーザ機器に対応する状態値は、ユーザ機器が現在位置しているセルの負荷値またはユーザ機器の現在のトラフィック課金値を含む。
【００４３】
第1の可能な実施形態においては、プロセッサは、
ダウンロード制御ネットワーク要素の第3の通知に応答して、バッファされたコンテンツをユーザ機器に結びつけられた関連デバイスにプッシュするステップ、または
ダウンロード制御ネットワーク要素の第3の通知に応答して、コンテンツをオフラインダウンロードサーバからダウンロードするようにユーザ機器に結びつけられた関連デバイスに通知するステップをさらに実行する。
【００４４】
本出願の第13の態様は、コンテンツダウンロードシステムを提供し、コンテンツダウンロードシステムは、ユーザ機器とダウンロード制御ネットワーク要素とを少なくとも備え、
ユーザ機器は、コンテンツに関するダウンロード要求メッセージをダウンロード制御ネットワーク要素に送信して、ダウンロード制御ネットワーク要素の通知に応答して、コンテンツをコンテンツ提供サーバからダウンロードするように構成され、
ダウンロード制御ネットワーク要素は、ユーザ機器によって送信されたコンテンツダウンロード要求メッセージを受信して、ユーザ機器に対応する状態値を問い合わせるように構成され、ユーザ機器に対応する状態値は、ユーザ機器が現在位置しているセルの負荷値またはユーザ機器の現在のトラフィック課金値を含み、ユーザ機器に対応する状態値がプリセット閾値未満である場合には、コンテンツをコンテンツ提供サーバからダウンロードするようにユーザ機器に通知するように構成される。
【００４５】
第1の可能な実施形態においては、システムは、オフラインダウンロードサーバをさらに備え、
オフラインダウンロードサーバは、ダウンロード制御ネットワーク要素の第1の通知に応答して、コンテンツをコンテンツ提供サーバからダウンロードしてコンテンツをバッファするように構成され、
ダウンロード制御ネットワーク要素は、ユーザ機器に対応する状態値がプリセット閾値以上である場合には、第1の通知をオフラインダウンロードサーバに送信するようにさらに構成され、第1の通知は、コンテンツをコンテンツ提供サーバからダウンロードしてコンテンツをバッファするようにオフラインダウンロードサーバに通知するように使用される。
【００４６】
第13の態様の第1の可能な実施形態に準拠している第2の可能な実施形態においては、オフラインダウンロードサーバは、ダウンロード制御ネットワーク要素の第2の通知に応答して、バッファされたコンテンツをユーザ機器にプッシュするようにさらに構成され、
ダウンロード制御ネットワーク要素は、第2の通知をオフラインダウンロードサーバに送信するようにさらに構成され、第2の通知は、バッファされたコンテンツをユーザ機器にプッシュするようにオフラインダウンロードサーバに通知するために使用され、
ユーザ機器は、オフラインダウンロードサーバによってプッシュされたコンテンツを受信するようにさらに構成される。
【００４７】
第13の態様の第1または第2の可能な実施形態に準拠している第3の可能な実施形態においては、オフラインダウンロードサーバは、ダウンロード制御ネットワーク要素の第3の通知に応答して、バッファされたコンテンツをユーザ機器に結びつけられた関連デバイスにプッシュするようにさらに構成される、またはダウンロード制御ネットワーク要素の第3の通知に応答して、コンテンツをオフラインダウンロードサーバからダウンロードするようにユーザ機器に結びつけられた関連デバイスに通知するようにさらに構成され、
ダウンロード制御ネットワーク要素は、第3の通知をオフラインダウンロードサーバに送信するようにさらに構成され、第3の通知は、バッファされたコンテンツをユーザ機器に結びつけられた関連デバイスにプッシュするようにオフラインダウンロードサーバに通知するために使用される、またはコンテンツをオフラインダウンロードサーバからダウンロードするようにユーザ機器に結びつけられた関連デバイスに通知するようにさらに構成される。
【００４８】
本出願においては、UEによって送信されたコンテンツに関するダウンロード要求メッセージを受信した後に、ダウンロード制御ネットワーク要素は、まずUEに対応する状態値を問い合わせ、UEに対応する状態値は、UEが現在位置しているセルの負荷値またはUEの現在のトラフィック課金値を含む。UEが現在位置しているセルの負荷値がプリセット閾値未満である場合には、UEが現在位置しているセルのネットワークリソースが十分存在していることを表しており、この場合には、UEがコンテンツをコンテンツ提供サーバから直接ダウンロードする挙動は、セルのネットワークリソースの輻輳を引き起こすことはしないので、それによってネットワークリソース利用率が向上する、またはUEの現在のトラフィック課金値がプリセット閾値未満である場合には、UEによって使用されたトラフィックがまだ定額月額パッケージで規定されているトラフィック上限を下回っていることを表しており、この場合には、UEがコンテンツをコンテンツ提供サーバから直接ダウンロードする挙動は、ユーザによる余分な支払いを低減することを可能としている。さらに、本出願においては、UEは、固定ネットワークデバイス(例えば、パーソナルコンピュータ)を使用してコンテンツをオフラインダウンロードサーバからダウンロードして、その後、固定ネットワークデバイスとUEとの間の同期技術を使用してコンテンツをUEと同期させる必要がなくなるので、それによってユーザエクスペリエンスが向上する。
【００４９】
本発明の実施形態における技術的解決方法をより明確に記載するために、実施形態を記載するために必要となる添付の図面を以下に簡単に説明する。当然ながら、以下に記載の添付の図面は、いくつかの本発明の実施形態を単に示すものであり、当業者は、創造的努力なしでこれらの添付の図面から他の図面をさらに導出し得る。
【図面の簡単な説明】
【００５０】
【図１】図1は、本出願の第1の実施形態による、コンテンツダウンロード方法のフローチャートの図である。
【図２】図2は、本出願の第2の実施形態による、コンテンツダウンロード方法のフローチャートの図である。
【図３】図3は、本出願の第3の実施形態による、コンテンツダウンロード方法のフローチャートの図である。
【図４】図4は、本出願の第4の実施形態による、コンテンツダウンロード方法のフローチャートの図である。
【図５】図5は、本出願の第5の実施形態による、コンテンツダウンロード方法のフローチャートの図である。
【図６】図6は、本出願の第6の実施形態による、コンテンツダウンロード方法のフローチャートの図である。
【図７】図7は、本出願の第7の実施形態による、コンテンツダウンロード方法のフローチャートの図である。
【図８】図8は、本出願の第8の実施形態による、コンテンツダウンロード方法のフローチャートの図である。
【図９】図9は、本出願の第9の実施形態による、ダウンロード制御ネットワーク要素の構成図である。
【図１０】図10は、本出願の第10の実施形態による、ダウンロード制御ネットワーク要素の構成図である。
【図１１】図11は、本出願の第11の実施形態による、ユーザ機器の構成図である。
【図１２】図12は、本出願の第12の実施形態による、ユーザ機器の構成図である。
【図１３】図13は、本出願の第13の実施形態による、オフラインダウンロードサーバの構成図である。
【図１４】図14は、本出願の第14の実施形態による、オフラインダウンロードサーバの構成図である。
【図１５】図15は、本出願の第15の実施形態による、コンテンツダウンロードシステムの構成図である。
【発明を実施するための形態】
【００５１】
本発明の実施形態における添付の図面を参照して、本発明の実施形態の技術的解決方法を以下に明確かつ十分に記載する。当然ながら、記載した実施形態は、本発明の実施形態のすべてではなく単なる一部に過ぎない。創造的努力なしで本発明の実施形態に基づいて当業者によって得られる他の実施形態のすべては、本発明の保護範囲にあるものとする。
【００５２】
本出願は、コンテンツダウンロードの方法、関連デバイス、およびシステムを提供し、ネットワークリソース利用率を向上させ、ユーザによる余分な支払いを低減させ、ユーザエクスペリエンスを向上させることを可能としている。詳細な記載については、以下に独立してなされる。
【００５３】
図1を参照すれば、図1は、本出願の第1の実施形態による、コンテンツダウンロード方法のフローチャートの図である。図1に示したコンテンツダウンロード方法は、ダウンロード制御ネットワーク要素の観点から記載している。図1に示したように、コンテンツダウンロード方法は、以下のステップを含んでいてもよい。
【００５４】
101.ダウンロード制御ネットワーク要素が、UEによって送信されたコンテンツに関するダウンロード要求メッセージを受信する。
【００５５】
本出願においては、ダウンロード制御ネットワーク要素は、論理機能エンティティである。ダウンロード制御ネットワーク要素は、モバイルネットワーク事業者によって独立して展開された物理エンティティ、例えば、事業者によって展開された機能有効化プラットフォームおよびインテリジェントプッシュ配信プラットフォームであってもよいし、またはモバイルネットワークに統合された物理エンティティ、例えば、パケットデータネットワークゲートウェイ(PDN Gateway、PGW)に統合された物理エンティティであってもよい。ただ本出願では、このことに限定されない。
【００５６】
102.ダウンロード制御ネットワーク要素が、UEに対応する状態値を問い合わせ、UEに対応する状態値は、UEが現在位置しているセルの負荷値またはUEの現在のトラフィック課金値を含む。
【００５７】
本出願においては、UEが現在位置しているセルの負荷値は、UEが現在位置しているセルにアクセスしているユーザの数であってもよいし、またはUEが現在位置しているセルのビジー/アイドルの度合いであってもよい。ただ本出願では、このことに限定されない。
【００５８】
103.UEに対応する状態値がプリセット閾値未満である場合には、ダウンロード制御ネットワーク要素が、コンテンツをコンテンツ提供サーバからダウンロードするようにUEに通知する。
【００５９】
本出願においては、UEが現在位置しているセルの負荷値がプリセット閾値未満である場合には、UEが現在位置しているセルのネットワークリソースが十分存在していることを表している。このような場合には、ダウンロード制御ネットワーク要素がコンテンツをコンテンツ提供サーバからダウンロードするようにUEに通知する挙動は、セルのネットワークリソースの輻輳を引き起こすことはしないので、それによってネットワークリソース利用率が向上する。UEの現在のトラフィック課金値がプリセット閾値未満である場合には、UEによって使用されたトラフィックがまだ定額月額パッケージで規定されているトラフィック上限を下回っていることを表している。このような場合には、ダウンロード制御ネットワーク要素がコンテンツをコンテンツ提供サーバからダウンロードするようにUEに通知する挙動は、ユーザによる高い余分な支払いを引き起こすことはしない。さらに、本出願においては、ユーザは、パーソナルコンピュータなどの固定ネットワークデバイスを使用してコンテンツをオフラインダウンロードサーバからダウンロードして、その後、固定ネットワークデバイスとUEとの間の同期技術を使用してコンテンツをUEと同期させる必要がなくなるので、それによってユーザエクスペリエンスが向上する。
【００６０】
可能な実施形態としては、図1に示したコンテンツダウンロード方法においては、UEの状態値がプリセット閾値以上である場合には、UEが現在位置しているセルのネットワークリソースが十分存在していないことを表している、またはUEによって使用されたトラフィックが定額月額パッケージで規定されているトラフィック上限を超過していることを表している。この時、ダウンロード制御ネットワーク要素は、コンテンツをコンテンツ提供サーバからダウンロードしてコンテンツをバッファするようにオフラインダウンロードサーバに通知してもよい。
【００６１】
さらに、ダウンロード制御ネットワーク要素は、そうしなければUEがコンテンツをコンテンツ提供サーバから直接ダウンロードする場合にセルで発生し得るネットワークリソースの輻輳を回避してネットワークリソース利用率を低減するために、またはUEがコンテンツをコンテンツ提供サーバから直接ダウンロードする場合に生じる余分な支払いを回避するために、バッファされたコンテンツをUEに直接プッシュするようにオフラインダウンロードサーバに通知してもよいし、またはコンテンツをオフラインダウンロードサーバから直接ダウンロードするようにUEに通知してもよい。
【００６２】
可能な実施形態としては、バッファされたコンテンツをUEにプッシュするようにオフラインダウンロードサーバに通知する前に、またはコンテンツをオフラインダウンロードサーバからダウンロードするようにUEに通知する前に、ダウンロード制御ネットワーク要素は、まずUEに対応する状態値がプリセット閾値未満であるかどうかをさらに決定してもよい。UEに対応する状態値がプリセット閾値未満である場合には、バッファされたコンテンツをUEにプッシュするようにオフラインダウンロードサーバに通知する前述のステップ、またはコンテンツをオフラインダウンロードサーバからダウンロードするようにUEに通知する前述のステップが実行される。UEに対応する状態値がプリセット閾値以上である場合には、ダウンロード制御ネットワーク要素は、UEに対応する状態値がプリセット閾値未満であると決定されるまでUEに対応する状態値を検知し続けてもよく、その後、バッファされたコンテンツをUEにプッシュするようにオフラインダウンロードサーバに通知する前述のステップ、またはコンテンツをオフラインダウンロードサーバからダウンロードするようにUEに通知する前述のステップが実行される。このことは、UEが位置しているセルのネットワークリソースが輻輳する状況、またはUEの現在のトラフィック課金値がユーザのトラフィック上限に対する定額月料金の課金範囲を超過する状況といった状況の悪化を避けるために行われる。
【００６３】
可能な実施形態としては、ダウンロード制御ネットワーク要素は、バッファされたコンテンツをUEに結びつけられた関連デバイス(例えば、携帯電話およびパーソナルコンピュータ)にプッシュするようにオフラインダウンロードサーバに通知してもよいし、またはコンテンツをオフラインダウンロードサーバからダウンロードするようにUEに結びつけられた関連デバイスに通知してもよい。
【００６４】
可能な実施形態としては、ダウンロード制御ネットワーク要素は、例えば、電話番号、IPアドレス、および関連デバイスの媒体アクセス制御(MAC)アドレスといったUEに結びつけられた関連デバイスの識別子を事前に記憶していてもよい。
【００６５】
可能な実施形態としては、ダウンロード制御ネットワーク要素は、オフラインダウンロードサーバによってコンテンツ提供サーバからダウンロードされたコンテンツのトラフィックに対する割引課金を実行するようにパケットデータネットワークゲートウェイ(PDN Gateway、PGW)に通知してもよい、それによって、ユーザの余分な支払いが低減される。
【００６６】
可能な実施形態としては、UEに対応する状態値がUEが現在位置しているセルの負荷値を含んでいる場合には、ダウンロード制御ネットワーク要素によって、UEに対応する状態値を問い合わせる処理が、具体的には、
ダウンロード制御ネットワーク要素は、UEに対応する状態値をPDWまたはUEが現在位置しているセルの基地局に問い合わせることであってもよい。
【００６７】
可能な実施形態としては、UEに対応する状態値がUEの現在のトラフィック課金値を含んでいる場合には、ダウンロード制御ネットワーク要素によって、UEに対応する状態値を問い合わせる処理が、具体的には、
ダウンロード制御ネットワーク要素は、UEに対応する状態値をオンライン課金システム(Online Charging System、OCS)またはオフライン課金システム(Offline Charging System、OFCS)に問い合わせることであってもよい。
【００６８】
図1に示したコンテンツダウンロード方法においては、UEによって送信されたコンテンツに関するダウンロード要求メッセージを受信した後に、ダウンロード制御ネットワーク要素は、まずUEに対応する状態値を問い合わせ、UEに対応する状態値は、UEが現在位置しているセルの負荷値またはUEの現在のトラフィック課金値を含む。UEが現在位置しているセルの負荷値がプリセット閾値未満である場合には、UEが現在位置しているセルのネットワークリソースが十分存在していることを表しており、この場合には、UEがコンテンツをコンテンツ提供サーバから直接ダウンロードする挙動は、セルのネットワークリソースの輻輳を引き起こすことはしないので、それによってネットワークリソース利用率が向上する。UEの現在のトラフィック課金値がプリセット閾値未満である場合には、UEの現在のトラフィック課金値がユーザの月の割当使用量内にまだあることを表しており、この場合には、UEがコンテンツをコンテンツ提供サーバから直接ダウンロードする挙動は、ユーザの余分な支払いを引き起こすことはしない。さらに、本出願においては、UEは、固定ネットワークデバイス(例えば、パーソナルコンピュータ)を使用してコンテンツをオフラインダウンロードサーバからダウンロードして、その後、固定ネットワークデバイスとUEとの間の同期技術を使用してコンテンツをUEと同期させる必要がなくなるので、それによってユーザエクスペリエンスが向上する。
【００６９】
図2を参照すれば、図2は、本出願の第2の実施形態による、コンテンツダウンロード方法のフローチャートの図である。図2に示したコンテンツダウンロード方法は、UEの観点から主に記載している。図2に示したように、コンテンツダウンロード方法は、以下のステップを含んでいてもよい。
【００７０】
201.UEが、UEに対応する状態値を問い合わせるようにダウンロード制御ネットワーク要素をトリガすることができるように、コンテンツに関するダウンロード要求メッセージをダウンロード制御ネットワーク要素に送信し、UEに対応する状態値がプリセット閾値未満である場合には、ダウンロード制御ネットワーク要素がコンテンツをコンテンツ提供サーバから直接ダウンロードするようにUEに通知し、UEに対応する状態値は、UEが現在位置しているセルの負荷値またはUEの現在のトラフィック課金値を含む。
【００７１】
202.UEが、ダウンロード制御ネットワーク要素の通知に応答して、コンテンツをコンテンツ提供サーバから直接ダウンロードする。
【００７２】
可能な実施形態としては、UEは、オフラインダウンロードサーバによってプッシュされたコンテンツを受信してもよいし、またはUEは、ダウンロード制御ネットワーク要素の通知に応答して、コンテンツをオフラインダウンロードサーバからダウンロードしてもよい。UEの状態値がプリセット閾値以上である場合には、ダウンロード制御ネットワーク要素は、コンテンツをコンテンツ提供サーバからダウンロードしてコンテンツをバッファするようにオフラインダウンロードサーバに通知して、バッファされたコンテンツをUEにプッシュするようにオフラインダウンロードサーバに通知する、またはコンテンツをオフラインダウンロードサーバからダウンロードするようにUEに通知する。
【００７３】
図2に示したコンテンツダウンロード方法においては、UEが現在位置しているセルの負荷値がプリセット閾値未満である場合、またはUEの現在のトラフィック課金値がプリセット閾値未満である場合には、UEは、ダウンロード制御ネットワーク要素の通知に応答して、コンテンツをコンテンツ提供サーバから直接ダウンロードしてもよい。したがって、セル内でネットワークリソースの輻輳が引き起こされることがなくなり得るので、ネットワークリソース利用率を向上することを可能としており、ユーザによる余分な支払いを低減することを可能としている。さらに、UEは、固定ネットワークデバイスとの同期技術を使用してコンテンツをダウンロードする必要がなくなるので、それによってユーザエクスペリエンスが向上する。
【００７４】
図3を参照すれば、図3は、本出願の第3の実施形態による、コンテンツダウンロード方法のフローチャートの図である。図3に示したコンテンツダウンロード方法は、UEと、ダウンロード制御ネットワーク要素との観点から記載している。図3に示したように、コンテンツダウンロード方法は、以下のステップを含んでいてもよい。
【００７５】
301.ユーザが、UEにおいてコンテンツダウンロードサービスを開始する。
【００７６】
302.UEが、アプリケーションプログラミングインターフェース(Application Programming Interface)を呼び出すことによって、またはメッセージを送信することによって、コンテンツに関するダウンロード要求メッセージをダウンロード制御ネットワーク要素に送信する。メッセージは、UEがダウンロードする必要があるコンテンツのアドレス情報(例えば、コンテンツURL)と、UEが現在位置しているセル(cell)の情報とを含んでいてもよい。
【００７７】
UEがコンテンツに関するダウンロード要求メッセージを送信するかどうかを制御することをユーザに任せる。例えば、ユーザがファイルをダウンロードすることを選択する場合には、UEは、2つのオプション、すなわち動的ダウンロードと通常ダウンロードとを提供していてもよいし、ユーザは、どちらのダウンロード形式を使用するかを選択してもよい。いくつかの比較的緊急のダウンロードについては、ユーザは、通常ダウンロードを選択してもよく、この場合には、UEは、コンテンツをコンテンツ提供サーバからダウンロードしてもよい。ユーザが動的ダウンロードを選択する場合には、UEは、ステップ302を実行するようにトリガされる。
【００７８】
303.ダウンロード制御ネットワーク要素が、UEによってレポートされたセル情報に応じて、UEに対応する負荷値をUEが現在位置しているセルの基地局に問い合わせる。
【００７９】
304.UEが現在位置しているセルの基地局が、UEに対応する負荷値をダウンロード制御ネットワーク要素に返す。UEに対応する負荷値は、UEが位置しているセルのビジー/アイドルの度合いであってもよく、ダウンロード制御ネットワーク要素は、ビジー/アイドルの度合いがプリセット閾値未満である、すなわち、UEが位置しているセルがアイドル(idle)状態にあると決定する。
【００８０】
可能な実施形態としては、UEに対応する負荷値は、UEが位置しているセルにアクセスしているユーザの数であってもよく、UEが位置しているセルにアクセスしているユーザの数がプリセット閾値未満である場合には、以下のステップ305からステップ306が同様に実行される。
【００８１】
305.ダウンロード制御ネットワーク要素が、コンテンツをコンテンツ提供サーバからダウンロードするようにUEに通知するために使用される通知メッセージをUEに返す。
【００８２】
306.UEが、ダウンロード制御ネットワーク要素の通知に応答して、通常ダウンロード要求メッセージをコンテンツ提供サーバに送信する。
【００８３】
307.コンテンツのダウンロード処理が完了した後に、UEが、ダウンロードしたコンテンツが利用可能であることをユーザに通知する。
【００８４】
図3に示したコンテンツダウンロード方法においては、ネットワークリソース利用率を向上することを可能としており、ユーザによる余分な支払いが低減される。さらに、UEは、固定ネットワークデバイス(例えば、パーソナルコンピュータ)を使用してコンテンツをオフラインダウンロードサーバからダウンロードして、その後、固定ネットワークデバイスとUEとの間の同期技術を使用してコンテンツをUEと同期させる必要がなくなるので、それによってユーザエクスペリエンスが向上する。
【００８５】
図4を参照すれば、図4は、本出願の第4の実施形態による、コンテンツダウンロード方法のフローチャートの図である。図4に示したコンテンツダウンロード方法は、オフラインダウンロードサーバの観点から記載している。図4に示したように、コンテンツダウンロード方法は、以下のステップを含んでいてもよい。
【００８６】
401.オフラインダウンロードサーバが、ダウンロード制御ネットワーク要素の第1の通知に応答して、コンテンツをコンテンツ提供サーバからダウンロードしてコンテンツをバッファする。本実施形態においては、UEによって送信されたコンテンツに関するダウンロード要求メッセージを受信した後に、ダウンロード制御ネットワーク要素がUEに対応する状態値を問い合わせて、UEに対応する状態値がプリセット閾値未満である場合には、第1の通知が、ダウンロード制御ネットワーク要素によってオフラインダウンロードサーバに送信される。本実施形態においては、UEに対応する状態値は、UEが現在位置しているセルの負荷値またはUEの現在のトラフィック課金値を含む。
【００８７】
402.オフラインダウンロードサーバが、ダウンロード制御ネットワーク要素の第2の通知に応答して、バッファされたコンテンツをUEにプッシュする。
【００８８】
可能な実施形態としては、図4に示したコンテンツダウンロード方法においては、オフラインダウンロードサーバは、さらに、ダウンロード制御ネットワーク要素の第3の通知に応答して、バッファされたコンテンツをUEに結びつけられた関連デバイスにプッシュしてもよいし、またはオフラインダウンロードサーバは、ダウンロード制御ネットワーク要素の第3の通知に応答して、コンテンツをオフラインダウンロードサーバからダウンロードするようにUEに結びつけられた関連デバイスに通知してもよい。
【００８９】
図4に示したコンテンツダウンロード方法においては、UEが現在位置しているセルの負荷値がプリセット閾値未満である、またはUEの現在のトラフィック課金値がプリセット閾値未満であるとダウンロード制御ネットワーク要素が決定すると、オフラインダウンロードサーバは、ダウンロード制御ネットワーク要素の通知に応答して、コンテンツをコンテンツ提供サーバからダウンロードしてコンテンツをバッファして、バッファされたコンテンツをUEにプッシュしてもよい。セルのネットワークリソースの輻輳が引き起こされることがなくなり得るので、ネットワークリソース利用率を向上することを可能としており、ユーザによる余分な支払いを低減することを可能としている。さらに、UEは、固定ネットワークデバイスとの同期技術を使用してコンテンツをダウンロードする必要がなくなるので、それによってユーザエクスペリエンスが向上する。
【００９０】
図5を参照すれば、図5は、本出願の第5の実施形態による、コンテンツダウンロード方法のフローチャートの図である。図5に示したコンテンツダウンロード方法は、UEと、ダウンロード制御ネットワーク要素と、オフラインダウンロードサーバとの観点から記載している。図5に示したように、コンテンツダウンロード方法は、以下のステップを含んでいてもよい。
【００９１】
501.ユーザが、UEにおいてコンテンツダウンロードサービスを開始する。
【００９２】
502.UEが、APIを呼び出すことによって、またはメッセージを送信することによって、コンテンツに関するダウンロード要求メッセージをダウンロード制御ネットワーク要素に送信する。メッセージは、UEがダウンロードする必要があるコンテンツのアドレス情報(例えば、コンテンツURL)を含んでいてもよい。
【００９３】
503.ダウンロード制御ネットワーク要素が、UEに対応する負荷値をIPアドレスをUEに割り当てるPGWに問い合わせる。UEに対応する負荷値は、UEが位置しているセルにアクセスしているユーザの数であってもよく、UEが位置しているセルにアクセスしているユーザの数がプリセット閾値より大きい、すなわち、UEが位置しているセルのネットワークリソースが輻輳を起こしている。
【００９４】
ダウンロード制御ネットワーク要素は、UE識別情報を有する問合せ要求をIPアドレスをUEに割り当てるPGWに送信してもよい。UE識別情報は、UEに対応する負荷値をPGWに問い合わせる処理を実施するために、UEの電話番号またはIPアドレスなどであってもよい。
【００９５】
本実施形態においては、異なるPGWによって割り当てられたIPアドレスは異なる範囲内にあるので、ダウンロード制御ネットワーク要素は、UEのIPアドレスがどの範囲にあるか解析することによって、IPアドレスをUEに割り当てるPGWを決定して、その後、UEに対応する負荷値をPGWに問い合わせてもよい。
【００９６】
504.PGWが、UEに対応する負荷値をダウンロード制御ネットワーク要素に返す。さらに、PGWは、UEのアクセス技術(例えば、2Gまたは3Gアクセス)をダウンロード制御ネットワーク要素に返してもよい。
【００９７】
505.ダウンロード制御ネットワーク要素が、オフラインダウンロードサーバがコンテンツをコンテンツ提供サーバからオフラインダウンロード形式でダウンロードしてコンテンツをローカルにバッファして、コンテンツをUE識別子に関連付けることができるように、UE識別子とUEがダウンロードする必要があるコンテンツのアドレスとを含む通知メッセージ(すなわち、オフラインダウンロード要求)をオフラインダウンロードサーバに送信する。
【００９８】
オフラインダウンロードサーバは、複数の形式で実装することが可能である。例えば、パーソナルネットワークハードディスクまたはパーソナルクラウド領域によって実装することが可能である。ただ本出願では、このことに限定されない。
【００９９】
506.ダウンロード制御ネットワーク要素が、コンテンツをコンテンツ提供サーバからダウンロードするようにUEが直接要求しないように、ダウンロード確認(acknowledgement)メッセージをUEに返して、オフラインダウンロードを実行するようにUEにシグナリングする。
【０１００】
507.ダウンロード制御ネットワーク要素は、通知サービスにさらに登録して、PGWからUEに対応する負荷値の変化についての通知を受信してもよい。
【０１０１】
508.UEに対応する負荷値が変化する場合には、例えば、UEに対応する負荷値がプリセット閾値より大きい状態からプリセット閾値未満の状態に変化する場合には、UEが位置しているセルのネットワークリソースが輻輳状態からアイドルに変化していることを表している、またはUEが新たなアクセス技術に切り替える場合には、例えば、UEが2Gアクセスから無線ローカルエリアネットワーク(Wireless Local Area Networks、WLAN)アクセスに切り替える場合には、PGWは、変化した負荷値をダウンロード制御ネットワーク要素にレポートする。本実施形態においては、UEに対応する負荷値がプリセット閾値より大きい状態からプリセット閾値未満の状態に変化している、すなわち、UEが位置しているセルのネットワークリソースが輻輳状態からアイドルに変化している。
【０１０２】
509.UEに対応する負荷値がプリセット閾値未満である場合には、すなわち、UEが位置しているセルのネットワークリソースがアイドルである場合には、ダウンロード制御ネットワーク要素は、オフラインダウンロードサーバによってバッファされたコンテンツを取ってくるようにUEにシグナルするために使用される通知メッセージをUEに送信する。
【０１０３】
UEがバッファされたコンテンツをオフラインダウンロードサーバから取ってくる手続きは、ユーザに関知されない、すなわち、ユーザは、バッファされたコンテンツをオフラインダウンロードサーバから取ってくるようにUEをトリガする必要はない。
【０１０４】
510.ダウンロード制御ネットワーク要素は、オフラインダウンロードサーバによってコンテンツ提供サーバからダウンロードされたコンテンツのトラフィックに対する割引課金を実行するようにPGWにさらに通知してもよい。例えば、トラフィックがユーザの月制限にカウントされない、またはある割合で割引される。例えば、10Mのトラフィックがダウンロードされても、5Mのトラフィックだけがユーザの月制限にカウントされる。
【０１０５】
511.コンテンツのダウンロード処理が完了した後に、UEが、ダウンロードしたコンテンツが利用可能であることをユーザに通知する。
【０１０６】
本実施形態においては、1つのコンテンツダウンロード操作がダウンロード処理を実行するためにユーザによって開始される必要があるだけなので、それによってユーザエクスペリエンスが向上する。
【０１０７】
図5に示したコンテンツダウンロード方法においては、セルのネットワークリソースの輻輳が引き起こされることがなくなり得るので、それによってネットワークリソース利用率が向上していることが見て取れよう。さらに、図5に示したコンテンツダウンロード方法においては、UEは、固定ネットワークデバイス(例えば、パーソナルコンピュータ)を使用してコンテンツをオフラインダウンロードサーバからダウンロードして、その後、固定ネットワークデバイスとUEとの間の同期技術を使用してコンテンツをUEと同期させる必要がなくなるので、それによってユーザエクスペリエンスが向上する。
【０１０８】
図6を参照すれば、図6は、本出願の第6の実施形態による、コンテンツダウンロード方法のフローチャートの図である。図6に示したコンテンツダウンロード方法は、UEと、ダウンロード制御ネットワーク要素と、オフラインダウンロードサーバとの観点から主に記載している。図6に示したように、コンテンツダウンロード方法は、以下のステップを含んでいてもよい。
【０１０９】
601.ユーザが、UEにおいてコンテンツダウンロードサービスを開始する。
【０１１０】
602.UEが、APIを呼び出すことによって、またはメッセージを送信することによって、コンテンツに関するダウンロード要求メッセージをダウンロード制御ネットワーク要素に送信する。メッセージは、UEがダウンロードする必要があるコンテンツのアドレス情報(例えば、コンテンツURL)を含んでいてもよい。
【０１１１】
603.ダウンロード制御ネットワーク要素が、UEに対応する負荷値をOCSまたはCFCSに問い合わせる。UEに対応する負荷値は、UEの現在のトラフィック課金値であってもよい。
【０１１２】
ダウンロード制御ネットワーク要素は、UE識別情報を有する問合せ要求をOCSまたはCFCSに送信してもよい。UE識別情報は、UEに対応する負荷値をOCSまたはCFCSに問い合わせる処理を実施するために、UEの電話番号またはIPアドレスなどであってもよい。
【０１１３】
604.OCSまたはCFCSが、UEの現在のトラフィック課金値をダウンロード制御ネットワーク要素に返す。さらに、OCSまたはCFCSは、ダウンロード制御ネットワーク要素にUEの月の割当使用量およびUEが現在ローミング課金状態にあるかどうかなどの情報を返してもよい。
【０１１４】
605.UEの現在のトラフィック課金値がプリセット閾値(ここで、プリセット閾値は、UEの月の割当使用量またはUEの月の割当使用量の90%であってもよい)より大きいとダウンロード制御ネットワーク要素が決定すると、コンテンツをコンテンツ提供サーバからダウンロードしてコンテンツをバッファするようにオフラインダウンロードサーバに通知する。通知は、UE識別子とUEがダウンロードする必要があるコンテンツのアドレス情報(例えば、URL)とを含んでいてもよい。
【０１１５】
可能な実施形態としては、UEがローミング課金状態にある場合には、ダウンロード制御ネットワーク要素は、コンテンツをコンテンツ提供サーバからダウンロードしてコンテンツをバッファするようにオフラインダウンロードサーバに通知してもよい。通知は、UE識別子とUEがダウンロードする必要があるコンテンツのアドレス情報(例えば、URL)とを含んでいてもよい。
【０１１６】
オフラインダウンロード形式でコンテンツをコンテンツ提供サーバからダウンロードしてコンテンツをローカルにバッファした後に、オフラインダウンロードサーバは、コンテンツをUE識別子に関連付けてもよい。
【０１１７】
606.ダウンロード制御ネットワーク要素が、コンテンツをコンテンツ提供サーバからダウンロードするようにUEが直接要求しないように、ダウンロード確認メッセージをUEに返して、オフラインダウンロードを実行するようにUEにシグナリングする。
【０１１８】
607.ダウンロード制御ネットワーク要素は、通知サービスにさらに登録して、OCSまたはCFCSからUEに対応する負荷値の変化についての通知を受信してもよい。
【０１１９】
608.UEに対応する負荷値が変化する場合には、例えば、UEに対応する負荷値がプリセット閾値より大きい状態からプリセット閾値未満の状態に変化する場合には、UEが自宅に戻ってもはやローミング状態にはないこと、またはユーザが(新たな課金期間となったことで)UEの月の割当使用量をリセットしたこと、またはユーザがUEの月の割当使用量を上げたことなどを表し、OCSまたはCFCSは、変化した負荷値をダウンロード制御ネットワーク要素にレポートする。
【０１２０】
609.UEに対応する負荷値がプリセット閾値未満である場合には、ダウンロード制御ネットワーク要素が、バッファされたコンテンツをUEにプッシュするようにオフラインダウンロードサーバに通知する。
【０１２１】
610.オフラインダウンロードサーバが、ダウンロード制御ネットワーク要素の通知に応答して、バッファされたコンテンツをUEにプッシュする。コンテンツのプッシュ処理が完了した後に、UEが、ダウンロードしたコンテンツが利用可能であることをユーザに通知してもよい。
【０１２２】
図6に示したコンテンツダウンロード方法では、セルのネットワークリソースの輻輳が引き起こされることがなくなり得るので、それによってネットワークリソース利用率が向上していることが見て取れよう。さらに、図6に示したコンテンツダウンロード方法においては、UEは、固定ネットワークデバイス(例えば、パーソナルコンピュータ)を使用してコンテンツをオフラインダウンロードサーバからダウンロードして、その後、固定ネットワークデバイスとUEとの間の同期技術を使用してコンテンツをUEと同期させる必要がなくなるので、それによってユーザエクスペリエンスが向上する。
【０１２３】
図7を参照すれば、図7は、本出願の第7の実施形態による、コンテンツダウンロード方法のフローチャートの図である。図7に示したコンテンツダウンロード方法は、UEと、ダウンロード制御ネットワーク要素と、オフラインダウンロードサーバとの観点から主に記載している。図7に示したように、コンテンツダウンロード方法は、以下のステップを含んでいてもよい。
【０１２４】
ステップ701から706は、図5のステップ501から505と同一であり、本出願ではさらに記載はしない。
【０１２５】
707.ユーザが、いつバッファされたコンテンツをオフラインダウンロードサーバからダウンロードするのかを決定する。
【０１２６】
図5に示した実施形態とは異なり、本実施形態においては、いつバッファされたコンテンツをオフラインダウンロードサーバからダウンロードするのかを決定するのはユーザであり、ダウンロード制御ネットワーク要素は、いつバッファされたコンテンツをUEにプッシュするようにオフラインダウンロードサーバに通知するかを決定しない。
【０１２７】
708.UEが、APIを呼び出すことによって、またはメッセージを送信することによって、コンテンツに関するダウンロード要求メッセージをダウンロード制御ネットワーク要素に送信する。メッセージは、UEがダウンロードする必要があるコンテンツおよびオフラインダウンロードサーバによってバッファされるコンテンツのアドレス情報(例えば、コンテンツURL)を含んでいてもよい。
【０１２８】
709.ダウンロード制御ネットワーク要素が、UEに対応する負荷値をIPアドレスをUEに割り当てるPGWに問い合わせる。
【０１２９】
710.PGWが、UEに対応する負荷値をダウンロード制御ネットワーク要素に返す。UEに対応する負荷値は、プリセット閾値未満である、すなわち、UEが位置しているセルのネットワークリソースは、アイドルである。
【０１３０】
711.ダウンロード制御ネットワーク要素が、確認メッセージをUEに返して、UEがコンテンツをオフラインダウンロードサーバからダウンロードできることを示す。
【０１３１】
712.UEが、コンテンツをオフラインダウンロードサーバからダウンロードしてコンテンツをバッファする。
【０１３２】
上述した実施形態と比較して、本実施形態は、ダウンロード制御ネットワーク要素における実施を簡素化することを可能としている。ダウンロード制御ネットワーク要素は、いつバッファされたコンテンツをUEにプッシュするようにオフラインダウンロードサーバに通知するかを決定する必要がなくなる。しかしながら、ユーザは、いつバッファされたコンテンツをオフラインダウンロードサーバから取ってくるかを決定する必要がある。ユーザエクスペリエンスはわずかに減少するが、本出願の全体的な実施には影響は与えない。
【０１３３】
図7に示したコンテンツダウンロード方法においては、セルのネットワークリソースの輻輳が引き起こされることがなくなり得るので、それによってネットワークリソース利用率が向上していることが見て取れよう。さらに、図7に示したコンテンツダウンロード方法においては、UEは、固定ネットワークデバイス(例えば、パーソナルコンピュータ)を使用してコンテンツをオフラインダウンロードサーバからダウンロードして、その後、固定ネットワークデバイスとUEとの間の同期技術を使用してコンテンツをUEと同期させる必要がなくなるので、それによってユーザエクスペリエンスが向上する。
【０１３４】
図8を参照すれば、図8は、本出願の第8の実施形態による、コンテンツダウンロード方法のフローチャートの図である。図8に示したコンテンツダウンロード方法は、UEと、ダウンロード制御ネットワーク要素と、オフラインダウンロードサーバとの観点から主に記載している。図8に示したように、コンテンツダウンロード方法は、以下のステップを含んでいてもよい。
【０１３５】
ステップ801から806は、図5のステップ501から505と同一であり、本出願ではさらに記載はしない。
【０１３６】
807.ダウンロード制御ネットワーク要素が、UEが関連デバイスに結びつけられているかどうかについての情報を検知する。UEは、同時に携帯電話およびパーソナルコンピュータなどの関連デバイスに結びつけられていてもよいし、ユーザは、関連デバイスの関連デバイス情報をダウンロード制御ネットワーク要素にプリセットしていてもよい。
【０１３７】
808.UEが関連デバイスに結びつけられている場合には、ダウンロード制御ネットワーク要素は、関連デバイスに対応する負荷値をPGWに問い合わせてもよい。
【０１３８】
ダウンロード制御ネットワーク要素は、関連デバイスに対応する負荷値をPGWに問い合わせる処理を実施するために、関連デバイスの識別情報(例えば、関連電話の電話番号)を有する問い合わせ要求をPGWに送信してもよい。
【０１３９】
前述のステップ808は必須ではなく、いくつかの固定ネットワークデバイス、例えば、パーソナルコンピュータなどの固定回線ネットワーク端末については、固定ネットワークデバイスの負荷値を問い合わせる処理が必要ではないことに留意すべきである。
【０１４０】
809.ダウンロード制御ネットワーク要素が、PGWによって返された関連デバイスの負荷値を受信する。関連デバイスの負荷値は、プリセット閾値未満である。
【０１４１】
810.ダウンロード制御ネットワーク要素が、バッファされたコンテンツをオフラインダウンロードサーバからダウンロードするように関連デバイスに通知する。
【０１４２】
811.関連デバイスが、ダウンロード制御ネットワーク要素の通知に応答して、バッファされたコンテンツをオフラインダウンロードサーバからダウンロードする。
【０１４３】
図8に示したコンテンツダウンロード方法においては、セルのネットワークリソースの輻輳が引き起こされることがなくなり得るので、それによってネットワークリソース利用率が向上していることが見て取れよう。さらに、図8に示したコンテンツダウンロード方法においては、UEは、固定ネットワークデバイス(例えば、パーソナルコンピュータ)を使用してコンテンツをオフラインダウンロードサーバからダウンロードして、その後、固定ネットワークデバイスとUEとの間の同期技術を使用してコンテンツをUEと同期させる必要がなくなるので、それによってユーザエクスペリエンスが向上する。
【０１４４】
図9を参照すれば、図9は、本出願の第9の実施形態による、ダウンロード制御ネットワーク要素の構成図である。図9に示したように、ダウンロード制御ネットワーク要素は、
UEによって送信されたコンテンツに関するダウンロード要求メッセージを受信するように構成される、受信ユニット901と、
UEに対応する状態値を問い合わせるように構成される、問合せユニット902であって、UEに対応する状態値は、UEが現在位置しているセルの負荷値またはUEの現在のトラフィック課金値を含む、問合せユニット902と、
UEに対応する状態値がプリセット閾値未満であるかどうかを決定するように構成される、決定ユニット903と、
UEに対応する状態値がプリセット閾値未満であると決定ユニット903が決定すると、コンテンツをコンテンツ提供サーバから直接ダウンロードするようにUEに通知するように構成される、通知ユニット904とを備えていてもよい。
【０１４５】
可能な実施形態としては、通知ユニット904は、UEに対応する状態値がプリセット閾値以上であると決定ユニット903が決定すると、コンテンツをコンテンツ提供サーバからダウンロードしてコンテンツをバッファするようにオフラインダウンロードサーバに通知するようにさらに構成される。
【０１４６】
可能な実施形態としては、通知ユニット904は、バッファされたコンテンツをUEにプッシュするようにオフラインダウンロードサーバに通知するようにさらに構成される、またはコンテンツをオフラインダウンロードサーバからダウンロードするようにUEに通知するようにさらに構成される。
【０１４７】
可能な実施形態としては、通知ユニット904は、UEに対応する状態値がプリセット閾値未満であると決定ユニット903が決定すると、バッファされたコンテンツをUEにプッシュするようにオフラインダウンロードサーバに通知するようにさらに構成される、またはコンテンツをオフラインダウンロードサーバからダウンロードするようにUEに通知するようにさらに構成される。
【０１４８】
可能な実施形態としては、通知ユニット904は、バッファされたコンテンツをUEに結びつけられた関連デバイスにプッシュするようにオフラインダウンロードサーバに通知するようにさらに構成される、またはコンテンツをオフラインダウンロードサーバからダウンロードするようにUEに結びつけられた関連デバイスに通知するようにさらに構成される。
【０１４９】
可能な実施形態としては、通知ユニット904は、オフラインダウンロードサーバによってコンテンツ提供サーバからダウンロードされたコンテンツのトラフィックに対する割引課金を実行するようにPGWに通知するようにさらに構成される。
【０１５０】
可能な実施形態としては、UEに対応する状態値がUEが現在位置しているセルの負荷値を含んでいる場合には、問合せユニット902は、UEに対応する状態値をPGWまたはUEが現在位置しているセルの基地局に問い合わせるように特に構成される。
【０１５１】
可能な実施形態としては、UEに対応する状態値がUEの現在のトラフィック課金値を含んでいる場合には、問合せユニット902は、UEに対応する状態値をOCSまたはOFCSに問い合わせるように特に構成される。
【０１５２】
UEによって送信されたコンテンツに関するダウンロード要求メッセージを受信した後に、図9に示したダウンロード制御ネットワーク要素は、まずUEに対応する状態値を問い合わせ、UEに対応する状態値は、UEが現在位置しているセルの負荷値またはUEの現在のトラフィック課金値を含む。UEが現在位置しているセルの負荷値がプリセット閾値未満である場合には、UEが現在位置しているセルのネットワークリソースが十分存在していることを表している。このような場合には、UEがコンテンツをコンテンツ提供サーバから直接ダウンロードする挙動は、セルのネットワークリソースの輻輳を引き起こすことはしないので、それによってネットワークリソース利用率が向上する。UEの現在のトラフィック課金値がプリセット閾値未満である場合には、UEによって使用されたトラフィックがまだ定額月額パッケージで規定されているトラフィック上限を下回っていることを表している。このような場合には、UEがコンテンツをコンテンツ提供サーバから直接ダウンロードする挙動は、ユーザによる余分な支払いを低減することを可能としている。さらに、図9に示したダウンロード制御ネットワーク要素は、固定ネットワークデバイス(例えば、パーソナルコンピュータ)を使用してUEがコンテンツをオフラインダウンロードサーバからダウンロードして、その後、固定ネットワークデバイスとUEとの間の同期技術を使用してコンテンツをUEと同期させる必要性を排除しているので、それによってユーザエクスペリエンスが向上する。
【０１５３】
図10を参照すれば、図10は、本出願の第10の実施形態による、ダウンロード制御ネットワーク要素の構成図である。図10に示したように、ダウンロード制御ネットワーク要素は、入力装置1001と、出力装置1002と、プロセッサ1003とを備えていてもよい。本出願のいくつかの実施形態においては、プロセッサ1003と入力装置1001および出力装置1002の双方との間の接続は、バスを使用することによって、または他の形式によって、実装されていてもよい。図10においては、一例として、接続は、バスを使用することによって実装されている。
【０１５４】
プロセッサ1003は、
ユーザ機器によって送信されたコンテンツに関するダウンロード要求メッセージを受信するステップと、
ユーザ機器に対応する状態値を問い合わせるステップであって、ユーザ機器に対応する状態値は、ユーザ機器が現在位置しているセルの負荷値またはユーザ機器の現在のトラフィック課金値を含む、ステップと、
ユーザ機器に対応する状態値がプリセット閾値未満である場合には、コンテンツをコンテンツ提供サーバから直接ダウンロードするようにユーザ機器に通知するステップとを実行する。
【０１５５】
可能な実施形態としては、プロセッサ1003は、
UEの状態値がプリセット閾値以上である場合には、コンテンツをコンテンツ提供サーバからダウンロードしてコンテンツをバッファするようにオフラインダウンロードサーバに通知するステップをさらに実行する。
【０１５６】
可能な実施形態としては、プロセッサ1003は、
バッファされたコンテンツをUEにプッシュするようにオフラインダウンロードサーバに通知するステップ、またはコンテンツをオフラインダウンロードサーバからダウンロードするようにUEに通知するステップをさらに実行する。
【０１５７】
可能な実施形態としては、プロセッサ1003は、
バッファされたコンテンツをUEにプッシュするようにオフラインダウンロードサーバに通知するステップ、またはコンテンツをオフラインダウンロードサーバからダウンロードするようにUEに通知するステップの前に、UEに対応する状態値がプリセット閾値未満であるかどうかを決定するステップと、UEに対応する状態値がプリセット閾値未満である場合には、バッファされたコンテンツをUEにプッシュするようにオフラインダウンロードサーバに通知するステップ、またはコンテンツをオフラインダウンロードサーバからダウンロードするようにUEに通知するステップを実行するステップとをさらに実行する。
【０１５８】
可能な実施形態としては、プロセッサ1003は、
バッファされたコンテンツをUEに結びつけられた関連デバイスにプッシュするようにオフラインダウンロードサーバに通知するステップ、またはコンテンツをオフラインダウンロードサーバからダウンロードするようにUEに結びつけられた関連デバイスに通知するステップをさらに実行する。
【０１５９】
可能な実施形態としては、プロセッサ1003は、
オフラインダウンロードサーバによってコンテンツ提供サーバからダウンロードされたコンテンツのトラフィックに対する割引課金を実行するようにPGWに通知するステップをさらに実行する。
【０１６０】
可能な実施形態としては、UEに対応する状態値がUEが現在位置しているセルの負荷値を含んでいる場合には、UEに対応する状態値を問い合わせると、プロセッサ1003は、
UEに対応する状態値をPGWまたはUEが現在位置しているセルの基地局に問い合わせるステップを実行する。
【０１６１】
可能な実施形態としては、UEに対応する状態値がUEの現在のトラフィック課金値を含んでいる場合には、UEに対応する状態値を問い合わせると、プロセッサ1003は、
UEに対応する状態値をOCSまたはOFCSに問い合わせるステップを実行する。
【０１６２】
図10に示したようなダウンロード制御ネットワーク要素においては、セルのネットワークリソースの輻輳が引き起こされることがなくなり得るので、それによってネットワークリソース利用率が向上していることが見て取れよう。さらに、図10に示したダウンロード制御ネットワーク要素は、固定ネットワークデバイス(例えば、パーソナルコンピュータ)を使用してユーザ機器がコンテンツをオフラインダウンロードサーバからダウンロードして、その後、固定ネットワークデバイスとUEとの間の同期技術を使用してコンテンツをUEと同期させる必要性を排除しているので、それによってユーザエクスペリエンスが向上する。
【０１６３】
図11を参照すれば、図11は、本出願の第11の実施形態による、ユーザ機器の構成図である。図11に示したように、ユーザ機器は、
UEに対応する状態値を問い合わせるようにダウンロード制御ネットワーク要素をトリガすることができるように、コンテンツに関するダウンロード要求メッセージをダウンロード制御ネットワーク要素に送信するように構成される、送信ユニット1101であって、UEに対応する状態値がプリセット閾値未満である場合には、ダウンロード制御ネットワーク要素がコンテンツをコンテンツ提供サーバから直接ダウンロードするようにUEに通知し、UEに対応する状態値は、UEが現在位置しているセルの負荷値またはUEの現在のトラフィック課金値を含む、送信ユニット1101と、
ダウンロード制御ネットワーク要素の通知に応答して、コンテンツをコンテンツ提供サーバから直接ダウンロードするように構成される、ダウンロードユニット1102とを備えていてもよい。
【０１６４】
可能な実施形態としては、ダウンロードユニット1102は、オフラインダウンロードサーバによってプッシュされたコンテンツを受信するようにさらに構成される、またはダウンロード制御ネットワーク要素の通知に応答して、コンテンツをオフラインダウンロードサーバからダウンロードするようにさらに構成され、UEの状態値がプリセット閾値以上である場合には、ダウンロード制御ネットワーク要素は、コンテンツをコンテンツ提供サーバからダウンロードしてコンテンツをバッファするようにオフラインダウンロードサーバに通知して、バッファされたコンテンツをUEにプッシュするようにオフラインダウンロードサーバに通知する、またはコンテンツをオフラインダウンロードサーバからダウンロードするようにUEに通知する。
【０１６５】
図11に示したようなユーザ機器を使用することによって、セルのネットワークリソースの輻輳が引き起こされることがなくなり得るので、それによってネットワークリソース利用率が向上していることが見て取れよう。さらに、図11に示したユーザ機器を使用することによって、ユーザは、固定ネットワークデバイス(例えば、パーソナルコンピュータ)を使用してコンテンツをオフラインダウンロードサーバからダウンロードして、その後、固定ネットワークデバイスとUEとの間の同期技術を使用してコンテンツをUEと同期させる必要がなくなるので、それによってユーザエクスペリエンスが向上する。
【０１６６】
図12を参照すれば、図12は、本出願の第12の実施形態による、ユーザ機器の構成図である。図12に示したように、ユーザ機器は、入力装置1201と、出力装置1202と、プロセッサ1203とを備えていてもよい。本出願のいくつかの実施形態においては、プロセッサ1203と入力装置1201および出力装置1202の双方との間の接続は、バスを使用することによって、または他の形式によって、実装されていてもよい。図12においては、一例として、接続は、バスを使用することによって実装されている。
【０１６７】
プロセッサ1203は、
ユーザ機器に対応する状態値を問い合わせるようにダウンロード制御ネットワーク要素をトリガすることができるように、コンテンツに関するダウンロード要求メッセージをダウンロード制御ネットワーク要素に送信するステップであって、ユーザ機器に対応する状態値がプリセット閾値未満である場合には、ダウンロード制御ネットワーク要素がコンテンツをコンテンツ提供サーバから直接ダウンロードするようにユーザ機器に通知し、ユーザ機器に対応する状態値は、ユーザ機器が現在位置しているセルの負荷値またはユーザ機器の現在のトラフィック課金値を含む、ステップと、ダウンロード制御ネットワーク要素の通知に応答して、コンテンツをコンテンツ提供サーバから直接ダウンロードするステップとを実行する。
【０１６８】
可能な実施形態としては、プロセッサ1203は、
オフラインダウンロードサーバによってプッシュされたコンテンツを受信するステップ、または、ダウンロード制御ネットワーク要素の通知に応答して、コンテンツをオフラインダウンロードサーバからダウンロードするステップをさらに実行し、ユーザ機器の状態値がプリセット閾値以上である場合には、ダウンロード制御ネットワーク要素は、コンテンツをコンテンツ提供サーバからダウンロードしてコンテンツをバッファするようにオフラインダウンロードサーバに通知して、バッファされたコンテンツをユーザ機器にプッシュするようにオフラインダウンロードサーバに通知する、またはコンテンツをオフラインダウンロードサーバからダウンロードするようにユーザ機器に通知する。
【０１６９】
図12に示したようなユーザ機器を使用することによって、セルのネットワークリソースの輻輳が引き起こされることがなくなり得るので、それによってネットワークリソース利用率が向上していることが見て取れよう。さらに、図12に示したユーザ機器を使用することによって、ユーザは、固定ネットワークデバイス(例えば、パーソナルコンピュータ)を使用してコンテンツをオフラインダウンロードサーバからダウンロードして、その後、固定ネットワークデバイスとUEとの間の同期技術を使用してコンテンツをUEと同期させる必要がなくなるので、それによってユーザエクスペリエンスが向上する。
【０１７０】
図13を参照すれば、図13は、本出願の第13の実施形態による、オフラインダウンロードサーバの構成図である。図13に示したように、オフラインダウンロードサーバは、
ダウンロード制御ネットワーク要素の第1の通知に応答して、コンテンツをコンテンツ提供サーバからダウンロードしてコンテンツをバッファするように構成される、第1の応答ユニット1301と、
ダウンロード制御ネットワーク要素の第2の通知に応答して、第1の応答ユニット1301によってバッファされたコンテンツをユーザ機器にプッシュするように構成される、第2の応答ユニット1302とを備え、
ユーザ機器によって送信されたコンテンツに関するダウンロード要求メッセージを受信した後に、ダウンロード制御ネットワーク要素がユーザ機器に対応する状態値を問い合わせて、ユーザ機器に対応する状態値がプリセット閾値未満である場合には、第1の通知は、ダウンロード制御ネットワーク要素によって送信され、ユーザ機器に対応する状態値は、ユーザ機器が現在位置しているセルの負荷値またはユーザ機器の現在のトラフィック課金値を含んでいてもよい。
【０１７１】
可能な実施形態としては、第2の応答ユニット1302は、ダウンロード制御ネットワーク要素の第3の通知に応答して、第1の応答ユニット1301によってバッファされたコンテンツをユーザ機器に結びつけられた関連デバイスにプッシュするようにさらに構成される、または第2の応答ユニット1302は、ダウンロード制御ネットワーク要素の第3の通知に応答して、コンテンツをオフラインダウンロードサーバからダウンロードするようにユーザ機器に結びつけられた関連デバイスに通知するようにさらに構成される。
【０１７２】
オフラインダウンロードサーバを使用することによって、セルのネットワークリソースの輻輳が引き起こされることがなくなり得るので、それによってネットワークリソース利用率が向上していることが見て取れよう。さらに、図13に示したオフラインダウンロードサーバは、固定ネットワークデバイス(例えば、パーソナルコンピュータ)を使用してユーザ機器がコンテンツをオフラインダウンロードサーバからダウンロードして、その後、固定ネットワークデバイスとUEとの間の同期技術を使用してコンテンツをUEと同期させる必要性を排除しているので、それによってユーザエクスペリエンスが向上する。
【０１７３】
図14を参照すれば、図14は、本出願の第14の実施形態による、オフラインダウンロードサーバの構成図である。図14に示したように、オフラインダウンロードサーバは、入力装置1401と、出力装置1402と、プロセッサ1403とを備えていてもよい。本出願のいくつかの実施形態においては、プロセッサ1403と入力装置1404および出力装置1402の双方との間の接続は、バスを使用することによって、または他の形式によって、実装されていてもよい。図14においては、一例として、接続は、バスを使用することによって実装されている。
【０１７４】
プロセッサ1403は、
ダウンロード制御ネットワーク要素の第1の通知に応答して、コンテンツをコンテンツ提供サーバからダウンロードしてコンテンツをバッファするステップと、
ダウンロード制御ネットワーク要素の第2の通知に応答して、バッファされたコンテンツをユーザ機器にプッシュするステップとを実行し、
ユーザ機器によって送信されたコンテンツに関するダウンロード要求メッセージを受信した後に、ダウンロード制御ネットワーク要素がユーザ機器に対応する状態値を問い合わせて、ユーザ機器に対応する状態値がプリセット閾値未満である場合には、第1の通知は、ダウンロード制御ネットワーク要素によって送信され、ユーザ機器に対応する状態値は、ユーザ機器が現在位置しているセルの負荷値またはユーザ機器の現在のトラフィック課金値を含む。
【０１７５】
可能な実施形態としては、プロセッサ1403は、
ダウンロード制御ネットワーク要素の第3の通知に応答して、バッファされたコンテンツをユーザ機器に結びつけられた関連デバイスにプッシュするステップ、またはダウンロード制御ネットワーク要素の第3の通知に応答して、コンテンツをオフラインダウンロードサーバからダウンロードするようにユーザ機器に結びつけられた関連デバイスに通知するステップをさらに実行する。
【０１７６】
オフラインダウンロードサーバを使用することによって、セルのネットワークリソースの輻輳が引き起こされることがなくなり得るので、それによってネットワークリソース利用率が向上していることが見て取れよう。さらに、図14に示したオフラインダウンロードサーバは、固定ネットワークデバイス(例えば、パーソナルコンピュータ)を使用してユーザ機器がコンテンツをオフラインダウンロードサーバからダウンロードして、その後、固定ネットワークデバイスとUEとの間の同期技術を使用してコンテンツをUEと同期させる必要性を排除しているので、それによってユーザエクスペリエンスが向上する。
【０１７７】
図15を参照すれば、図15は、本出願の第15の実施形態による、コンテンツダウンロードシステムの構成図である。図15に示したように、コンテンツダウンロードシステムは、ユーザ機器1501とダウンロード制御ネットワーク要素1502とを少なくとも備え、ユーザ機器1501とダウンロード制御ネットワーク要素1502との間の点線は、無線接続を表している。ユーザ機器1501の構成は、図11または図12に示したユーザ機器の構成と同一であってもよく、ダウンロード制御ネットワーク要素1502の構成は、図9または図10に示したダウンロード制御ネットワーク要素の構成と同一であってもよく、本出願ではさらに記載はしない。
【０１７８】
ユーザ機器1501は、コンテンツに関するダウンロード要求メッセージをダウンロード制御ネットワーク要素1502に送信して、ダウンロード制御ネットワーク要素1502の通知に応答して、コンテンツをコンテンツ提供サーバから直接ダウンロードするように構成される。
【０１７９】
ダウンロード制御ネットワーク要素1502は、ユーザ機器1501によって送信されたコンテンツに関するダウンロード要求メッセージを受信して、ユーザ機器1501に対応する状態値を問い合わせるように構成され、ユーザ機器1501に対応する状態値は、ユーザ機器1501が現在位置しているセルの負荷値またはユーザ機器1501の現在のトラフィック課金値を含み、ユーザ機器1501に対応する状態値がプリセット閾値未満である場合には、コンテンツをコンテンツ提供サーバから直接ダウンロードするようにユーザ機器1501に通知するように構成される。
【０１８０】
図15に示したように、コンテンツダウンロードシステムは、オフラインダウンロードサーバ1503をさらに備えていてもよく、オフラインダウンロードサーバ1503とユーザ機器1501およびダウンロード制御ネットワーク要素1502の双方との間の点線は、無線接続を表し、
オフラインダウンロードサーバ1503は、ダウンロード制御ネットワーク要素1502の第1の通知に応答して、コンテンツをコンテンツ提供サーバからダウンロードしてコンテンツをバッファするように構成される。
【０１８１】
ダウンロード制御ネットワーク要素1502は、ユーザ機器1501の状態値がプリセット閾値以上である場合には、第1の通知をオフラインダウンロードサーバ1503に送信するようにさらに構成され、第1の通知は、コンテンツをコンテンツ提供サーバからダウンロードしてコンテンツをバッファするようにオフラインダウンロードサーバ1503に通知するために使用される。
【０１８２】
可能な実施形態としては、オフラインダウンロードサーバ1503は、ダウンロード制御ネットワーク要素1502の第2の通知に応答して、バッファされたコンテンツをユーザ機器1501にプッシュするようにさらに構成される。
【０１８３】
それに対応して、ダウンロード制御ネットワーク要素1502は、第2の通知をオフラインダウンロードサーバ1501に送信するようにさらに構成され、第2の通知は、バッファされたコンテンツをユーザ機器1501にプッシュするようにオフラインダウンロードサーバ1503に通知するために使用される。
【０１８４】
それに対応して、ユーザ機器1501は、オフラインダウンロードサーバ1503によってプッシュされたコンテンツを受信するようにさらに構成される。
【０１８５】
可能な実施形態としては、オフラインダウンロードサーバ1503は、ダウンロード制御ネットワーク要素1502の第3の通知に応答して、バッファされたコンテンツをユーザ機器1501に結びつけられた関連デバイスにプッシュするようにさらに構成される、またはダウンロード制御ネットワーク要素1502の第3の通知に応答して、コンテンツをオフラインダウンロードサーバ1503からダウンロードするようにユーザ機器1501に結びつけられた関連デバイスに通知するようにさらに構成される。
【０１８６】
それに対応して、ダウンロード制御ネットワーク要素1502は、第3の通知をオフラインダウンロードサーバ1503に送信するようにさらに構成され、第3の通知は、バッファされたコンテンツをユーザ機器1501に結びつけられた関連デバイスにプッシュするようにオフラインダウンロードサーバ1503に通知するように使用される、またはコンテンツをオフラインダウンロードサーバ1503からダウンロードするようにユーザ機器1501に結びつけられた関連デバイスに通知するようにさらに構成される。
【０１８７】
セルの負荷値は、セルの輻輳の度合いに相当し、トラフィック課金値は、ユーザの月の割当使用量または現在のトラフィック値に相当する。
【０１８８】
図15に示したようコンテンツダウンロードシステムにおいては、セルのネットワークリソースの輻輳が引き起こされることがなくなり得るので、それによってネットワークリソース利用率が向上していることが見て取れよう。さらに、図15に示したコンテンツダウンロードシステムは、固定ネットワークデバイス(例えば、パーソナルコンピュータ)を使用してユーザ機器がコンテンツをオフラインダウンロードサーバからダウンロードして、その後、固定ネットワークデバイスとUEとの間の同期技術を使用してコンテンツをUEと同期させる必要性を排除しているので、それによってユーザエクスペリエンスが向上する。
【０１８９】
簡潔に記載するために、前述した方法の実施形態が一連の動作として表されていることに留意すべきである。しかしながら、当業者は、本出願によるいくつかのステップを他の順序または同時に実行してもよいので、本出願が記載した動作の順序に限定されないことを理解すべきである。当業者は、本明細書に記載の実施形態のすべてが例示的な実施形態に属しており、関連する動作およびモジュールが必ずしも本出願によって必要とされるわけではないことをさらに理解すべきである。
【０１９０】
前述した実施形態において、各実施形態の記載は、それぞれの焦点を有する。ある実施形態において詳細に記載されていない部分については、他の実施形態における関連記載を参照してもよい。
【０１９１】
当業者は、実施形態における方法のステップのすべてまたは一部が関連ハードウェアに通知するプログラムによって実施されてもよいことを理解されよう。プログラムは、コンピュータ可読記憶媒体に記憶されていてもよい。記憶媒体は、フラッシュメモリ、リードオンリーメモリ(Read-Only Memory、ROM)、ランダムアクセスメモリ(Random Access Memory、RAM)、磁気ディスク、および光ディスクであってもよい。
【０１９２】
本発明の実施形態において提供されるコンテンツダウンロードの方法、関連デバイス、およびシステムを前述したように詳細に記載してきた。本明細書において、特定の例示は、本発明の原理および実施を記載するために使用され、実施形態の記載は、本発明の方法および核となる考えをより理解できるようにすることを意図しているに過ぎない。その一方で、当業者は、本発明の考えに基づいて、特定の実施および応用範囲に関する変更をなし得る。したがって、本明細書の内容を、本発明に対する限定として解釈してはならない。
【符号の説明】
【０１９３】
1501  ユーザ機器
1502  ダウンロード制御ネットワーク要素
1503  オフラインダウンロードサーバ
【図１】
2015534335.tif 000003
【図２】
2015534335.tif 000004
【図３】
2015534335.tif 000005
【図４】
2015534335.tif 000006
【図５】
2015534335.tif 000007
【図６】
2015534335.tif 000008
【図７】
2015534335.tif 000009
【図８】
2015534335.tif 000010
【図９】
2015534335.tif 000011
【図１０】
2015534335.tif 000012
【図１１】
2015534335.tif 000013
【図１２】
2015534335.tif 000014
【図１３】
2015534335.tif 000015
【図１４】
2015534335.tif 000016
【図１５】
2015534335.tif 000017
【手続補正書】
【提出日】平成27年4月30日(2015.4.30)
【手続補正１】
【補正対象書類名】特許請求の範囲
【補正対象項目名】全文
【補正方法】変更
【補正の内容】
【特許請求の範囲】
【請求項１】
コンテンツダウンロード方法であって、
ユーザ機器から、コンテンツに関するダウンロード要求メッセージを受信するステップと、
前記ユーザ機器に対応する状態値を問い合わせるステップであって、前記ユーザ機器に対応する前記状態値は、前記ユーザ機器が現在位置しているセルの負荷値または前記ユーザ機器の現在のトラフィック課金値を含む、ステップと、
前記ユーザ機器に対応する前記状態値がプリセット閾値未満である場合には、前記コンテンツをコンテンツ提供サーバからダウンロードするように前記ユーザ機器に通知するステップと、
前記ユーザ機器の前記状態値が前記プリセット閾値以上である場合には、前記コンテンツを前記コンテンツ提供サーバからダウンロードして前記コンテンツをバッファするようにオフラインダウンロードサーバに通知するステップとを含む、方法。
【請求項２】
前記方法は、
前記バッファされたコンテンツを前記ユーザ機器にプッシュするように前記オフラインダウンロードサーバに通知するステップ、または前記コンテンツを前記オフラインダウンロードサーバからダウンロードするように前記ユーザ機器に通知するステップをさらに含む、請求項1に記載の方法。
【請求項３】
前記バッファされたコンテンツを前記ユーザ機器にプッシュするように前記オフラインダウンロードサーバに通知するステップ、または前記コンテンツを前記オフラインダウンロードサーバからダウンロードするように前記ユーザ機器に通知するステップの前に、前記方法は、
前記ユーザ機器に対応する前記状態値が前記プリセット閾値未満であるかどうかを決定するステップと、前記ユーザ機器に対応する前記状態値がプリセット前記閾値未満である場合には、前記バッファされたコンテンツを前記ユーザ機器にプッシュするように前記オフラインダウンロードサーバに通知するステップ、または前記コンテンツを前記オフラインダウンロードサーバからダウンロードするように前記ユーザ機器に通知するステップを実行するステップをさらに含む、請求項2に記載の方法。
【請求項４】
前記方法は、
前記バッファされたコンテンツを前記ユーザ機器に結びつけられた関連デバイスにプッシュするように前記オフラインダウンロードサーバに通知するステップ、または前記コンテンツを前記オフラインダウンロードサーバからダウンロードするように前記ユーザ機器に結びつけられた関連デバイスに通知するステップをさらに含む、請求項1、2、または3に記載の方法。
【請求項５】
前記方法は、
前記オフラインダウンロードサーバによって前記コンテンツ提供サーバからダウンロードされた前記コンテンツのトラフィックに対する割引課金を実行するようにパケットデータネットワークゲートウェイに通知するステップをさらに含む、請求項1から4のいずれか一項に記載の方法。
【請求項６】
コンピュータ記憶媒体であって、
前記コンピュータ記憶媒体は、プログラムを記憶し、前記プログラムが実行される際には、請求項1から5のいずれか一項に記載のステップが含まれる、コンピュータ記憶媒体。
【請求項７】
入力装置と、出力装置と、プロセッサとを備える、ダウンロード制御ネットワーク要素であって、
前記プロセッサは、
ユーザ機器によって送信されたコンテンツに関するダウンロード要求メッセージを受信するステップと、
前記ユーザ機器に対応する状態値を問い合わせるステップであって、前記ユーザ機器に対応する前記状態値は、前記ユーザ機器が現在位置しているセルの負荷値または前記ユーザ機器の現在のトラフィック課金値を含む、ステップと、
前記ユーザ機器に対応する前記状態値がプリセット閾値未満である場合には、前記コンテンツをコンテンツ提供サーバから直接ダウンロードするように前記ユーザ機器に通知するステップとを実行する、ダウンロード制御ネットワーク要素。
【請求項８】
前記プロセッサは、
前記ユーザ機器の前記状態値が前記プリセット閾値以上である場合には、前記コンテンツを前記コンテンツ提供サーバからダウンロードして前記コンテンツをバッファするようにオフラインダウンロードサーバに通知するステップをさらに実行する、請求項7に記載のダウンロード制御ネットワーク要素。
【請求項９】
前記プロセッサは、
前記バッファされたコンテンツを前記ユーザ機器にプッシュするように前記オフラインダウンロードサーバに通知するステップ、または前記コンテンツを前記オフラインダウンロードサーバからダウンロードするように前記ユーザ機器に通知するステップをさらに実行する、請求項8に記載のダウンロード制御ネットワーク要素。
【請求項１０】
前記プロセッサは、
前記バッファされたコンテンツを前記ユーザ機器にプッシュするように前記オフラインダウンロードサーバに通知するステップ、または前記コンテンツを前記オフラインダウンロードサーバからダウンロードするように前記ユーザ機器に通知するステップの前に、前記ユーザ機器に対応する前記状態値が前記プリセット閾値未満であるかどうかを決定するステップと、前記ユーザ機器に対応する前記状態値が前記プリセット閾値未満である場合には、前記バッファされたコンテンツを前記ユーザ機器にプッシュするように前記オフラインダウンロードサーバに通知するステップ、または前記コンテンツを前記オフラインダウンロードサーバからダウンロードするように前記ユーザ機器に通知するステップを実行するステップをさらに実行する、請求項9に記載のダウンロード制御ネットワーク要素。
【請求項１１】
前記プロセッサは、
前記バッファされたコンテンツを前記ユーザ機器に結びつけられた関連デバイスにプッシュするように前記オフラインダウンロードサーバに通知するステップ、または前記コンテンツを前記オフラインダウンロードサーバからダウンロードするように前記ユーザ機器に結びつけられた関連デバイスに通知するステップをさらに実行する、請求項8、9、または10に記載のダウンロード制御ネットワーク要素。
【請求項１２】
前記プロセッサは、
前記オフラインダウンロードサーバによって前記コンテンツ提供サーバからダウンロードされた前記コンテンツのトラフィックに対する割引課金を実行するようにパケットデータネットワークゲートウェイに通知するステップをさらに実行する、請求項8から11のいずれか一項に記載のダウンロード制御ネットワーク要素。
【請求項１３】
入力装置と、出力装置と、プロセッサとを備える、ユーザ機器であって、前記プロセッサは、
前記ユーザ機器に対応する状態値を問い合わせるようにダウンロード制御ネットワーク要素をトリガすることができるように、コンテンツに関するダウンロード要求メッセージを前記ダウンロード制御ネットワーク要素に、前記出力装置を介して、送信するステップと、
前記ユーザ機器に対応する前記状態値がプリセット閾値未満である場合には、前記コンテンツをコンテンツ提供サーバから直接ダウンロードする通知を前記ダウンロード制御ネットワーク要素から、前記入力装置を介して、受信するステップであって、前記ユーザ機器に対応する前記状態値は、前記ユーザ機器が現在位置しているセルの負荷値または前記ユーザ機器の現在のトラフィック課金値を含む、ステップと、
前記ダウンロード制御ネットワーク要素からの前記通知に応答して、前記コンテンツを前記コンテンツ提供サーバから、前記入力装置を介して、直接ダウンロードするステップとを実行する、ユーザ機器。
【請求項１４】
前記プロセッサは、
オフラインダウンロードサーバによってプッシュされた前記コンテンツを、前記入力装置を介して、受信するステップであって、前記ユーザ機器に対応する前記状態値が前記プリセット閾値以上である場合には、前記コンテンツは、前記オフラインダウンロードサーバによって前記コンテンツ提供サーバからダウンロードされ、プッシュ処理が、前記ダウンロード制御ネットワーク要素によってトリガされる、ステップ、または
前記ダウンロード制御ネットワーク要素の通知に応答して、前記コンテンツをオフラインダウンロードサーバから、前記入力装置を介して、ダウンロードするステップであって、前記ユーザ機器に対応する前記状態値が前記プリセット閾値以上である場合には、前記コンテンツは、前記オフラインダウンロードサーバによって前記コンテンツ提供サーバからダウンロードされ、前記ダウンロード制御ネットワーク要素の前記通知がトリガされる、ステップをさらに実行する、請求項13に記載のユーザ機器。
【請求項１５】
請求項13および14のいずれか一項に記載のユーザ機器と、請求項7から12のいずれか一項に記載のダウンロード制御ネットワーク要素とを少なくとも備える、コンテンツダウンロードシステム。
【請求項１６】
オフラインダウンロードサーバをさらに備え、
前記オフラインダウンロードサーバは、前記ダウンロード制御ネットワーク要素の第1の通知に応答して、前記コンテンツを前記コンテンツ提供サーバからダウンロードして前記コンテンツをバッファするように構成され、
前記ダウンロード制御ネットワーク要素は、前記ユーザ機器に対応する前記状態値が前記プリセット閾値以上である場合には、前記第1の通知を前記オフラインダウンロードサーバに送信するようにさらに構成され、前記第1の通知は、前記コンテンツを前記コンテンツ提供サーバからダウンロードして前記コンテンツをバッファするように前記オフラインダウンロードサーバに通知するように使用される、請求項15に記載のコンテンツダウンロードシステム。
【国際調査報告】
2015534335.tif 000018
2015534335.tif 000019
2015534335.tif 000020
2015534335.tif 000021
2015534335.tif 000022
2015534335.tif 000023